(57)【要約】  撮影レンズと撮像素子とからなる撮像ユニットを左右平行に設置したステレオカメラの視野に仮想の視野フレームである参照窓を設定する。その参照窓が左右夫々の撮影レンズによって縮小投影されて左右夫々の撮像素子上に結像する状態の左右夫々の参照窓の投影像幅に合わせて左右の撮像素子を設置するか又は参照窓の投影像幅相等の画像データを読み出して標準立体映像データとする。表示側においては、その標準立体映像データを撮影時の参照窓と等価である基準ディメンション表示画面に夫々左右用の映像を表示する。夫々左右用の映像は互いに異なる偏光によって同時又は時分割によって表示するか、又は左右用夫々の映像を同一方向の偏光によって時分割表示される。
2010082365.tif 000002
【特許請求の範囲】
【請求項１】
撮影レンズと撮像素子とからなる撮像ユニットを左右平行に設置した立体映像撮像装置の視野に仮想の視野フレームである一つの参照窓を設定し、その参照窓が左右夫々の撮影レンズによって縮小投影されて左右夫々の撮像素子上に結像する状態の左右夫々の参照窓の投影像幅に合わせて左右の撮像素子を設置するか又は参照窓の投影像幅相等の画像データを読み出して標準立体映像データとし、表示側の装置において、その標準立体映像データを撮影時の参照窓と等価である基準ディメンション表示画面に夫々左右用の映像を互いに異なる偏光によって同時又は時分割によって表示するか、又は左右用夫々の映像を同一方向の偏光によって時分割表示し、各々の表示方式に応じて左右の視野を分離視するために各々偏光メガネ又は液晶シャッタメガネ又は、左右同一の偏光板の直前に液晶板を取り付け、その液晶板を交互駆動して分離視する立体映像撮像表示システム。
【請求項２】
撮影レンズと撮像素子とからなる撮像ユニットを左右平行に設置した立体映像撮像装置の視野に仮想の視野フレームである一つの参照窓を設定し、その参照窓が左右夫々の撮影レンズによって縮小投影されて左右夫々の撮像素子上に結像する状態の左右夫々の参照窓の投影像幅に合わせて左右の撮像素子を設置するか又は参照窓の投影像幅相等の左右用立体画像データを読み出して標準立体映像データとして送出する立体映像撮像装置。
【請求項３】
撮影レンズと撮像素子とからなる撮像ユニットを左右平行に設置した立体映像撮像装置の視野に仮想の視野フレームである一つの参照窓を設定し、その参照窓が左右夫々の撮影レンズによって縮小投影されて左右夫々の撮像素子上に結像する状態の左右夫々の参照窓の投影像幅に合わせて左右の撮像素子を設置するか、又は、参照窓の投影像幅相等の画像データを読み出して標準立体映像データを送出し、その標準立体映像データによって立体映像を表示するシステムの、表示側の装置であって、基準ディメンション表示画面の両端と鑑賞者の左眼とを結ぶ線で決定される左の視野角内、及び基準ディメンションの表示画面の両端と右眼とを結ぶ線で決定される右の視野角内の左右同一の任意位置に左右夫々の視野幅内に表示する立体映像表示装置。
【請求項４】
標準立体映像データを取得する立体映像撮像装置から立体映像表示装置へのデータ搬送手段としてディジタルＴＶ放送波を利用した請求項１記載の立体映像撮像表示システム。
【請求項５】
標準立体映像データを取得する立体映像撮像装置から立体映像表示装置へのデータ搬送手段として通信回線を利用した請求項１記載の立体映像撮像表示システム。
【請求項６】
左右一対の電子ディスプレイ方式のプロジェクションユニットを並設するステレオプロジェクタであって、左右の投影レンズの光軸間距離を人の眼幅寸法に設定し、左右夫々の電子ディスプレイ上に標準立体映像データによって表示した立体映像を左右夫々の投影レンズによって投影し、基準ディメンション表示画面上において左右用の映像が同一位置に重ねて表示されるべく左右の電子ディスプレイを光軸に対して垂直となる左右方向に対称的にオフセット配置するか又はオフセットと同等の作用効果を為すように左右のディスプレイの表示範囲を互いに対称的にオフセット表示し、左右が互いに直交する方向の直線偏光フィルタか又は回転方向が左右反対方向の円偏光フィルタを通して任意距離のスクリーン上に投影合焦させ、プロジェクタに使用する偏光フィルタの直線偏光又は円偏光の夫々の形式に応じて、左右直交する直線偏光メガネ又は左右の回転方向が互いに反対方向の円偏光メガネによって分離視するように構成し、且つ、左右用のピクチャーフレームが合致する基準ディメンション表示画面を投影する距離を基準ディメンション表示画面の鑑賞距離よりも大きく設定した立体映像表示装置。
【請求項７】
左右一対の電子ディスプレイ方式のプロジェクションユニットを並設するステレオプロジェクタであって、左右の投影レンズの光軸間距離を人の眼幅寸法に設定し、左右夫々の電子ディスプレイ上に標準立体映像データによって表示した立体映像を左右夫々の投影レンズによって投影し、基準ディメンション表示画面上において左右用の映像が同一位置に重ねて表示されるべく左右の電子ディスプレイを光軸に対して垂直となる左右方向に対称的にオフセット配置するか又はオフセットと同等の作用効果を為すように左右のディスプレイの表示範囲を互いに対称的にオフセット表示し、左右が互いに直交する方向の直線偏光フィルタか又は回転方向が左右反対方向の円偏光フィルタを通して任意距離のスクリーン上に投影合焦させ、プロジェクタに使用する偏光フィルタの直線偏光又は円偏光の夫々の形式に応じて、左右直交する直線偏光メガネ又は左右の回転方向が互いに反対方向の円偏光メガネによって分離視するように構成し、且つ、左右用の映像が同一位置で合致する基準ディメンション表示画面を投影する距離を基準ディメンション表示画面の鑑賞距離よりも小さく設定した立体映像表示装置。
【請求項８】
電子ディスプレイ上の画像を投影レンズによってスクリーン上に投影するモノラルプロジェクタであって、標準立体映像データによって立体映像の左右用の画像をスクリーン上に時分割で交互に投影表示するとともに外部に同期用赤外線発信装置を連結した立体映像表示装置。
【請求項９】
ＤＭＤプロジェクションユニットによるリアプロジェクション型映像表示装置の投影レンズの前面又は後面に直線偏光フィルタを取り付け、更に、左右の視野分離のための同期用赤外線放射装置を備えたものであって、標準立体映像データによる左右用の画像を基準ディメンション表示画面の透過型スクリーン上に時分割で交互に表示すると共に、同期用赤外線を発信するように構成した請求項８の立体映像表示装置。
【請求項１０】
ＬＣＯＳプロジェクションユニットによるリアプロジェクション型立体映像表示装置に左右の視野分離のための同期用赤外線放射装置を付設して標準立体映像データによる左右用の画像を基準ディメンション表示画面の透過型スクリーン上に時分割で交互に表示すると共に、同期用赤外線を発信するように構成した請求項８の立体映像表示装置。
【請求項１１】
ＤＭＤプロジェクションユニットによるリアプロジェクション型立体映像表示装置の投影レンズの前面又は後面に射出光の方向順に、偏光フィルタ、液晶セル、λ／４板を設け、標準立体映像データによる左右用の画像を基準ディメンション表示画面の透過型スクリーン上に時分割で交互に表示する。同時に、左右用の表示映像に同期して液晶セルを制御し、左右用映像の偏光方向をλ／４板の高速軸に対して夫々−４５°及び＋４５°の角度に交互に入射させ左右用の映像を夫々左回り及び右回りの円偏光によって表示し、鑑賞者は左右互いに反対方向まわりの円偏光メガネを使用して左右の視野を分離視するように構成した請求項８の立体映像表示装置。
【請求項１２】
ＬＣＯＳプロジェクションユニットによるリアプロジェクション型立体映像表示装置の投影レンズの前面又は後面に射出光の方向順に、液晶セル、λ／４板を設け、標準立体映像データによる左右用の画像を基準ディメンション表示画面の透過型スクリーン上に時分割で交互に表示する。同時に、左右用の表示映像に同期して液晶セルを制御し、左右用映像の偏光方向をλ／４板の高速軸に対して夫々−４５°及び＋４５°の角度に交互に入射させ左右用の映像を夫々左回り及び右回りの円偏光によって表示し、鑑賞者は左右互いに反対方向周りの円偏光メガネを使用して左右の視野を分離視するように構成した請求項８の立体映像表示装置。
【請求項１３】
立体テレビカメラのＬＣＤ方式の立体モニタ上にオーバーラップ表示範囲の明視の距離近辺の位置で視るための立体映像を左右交互に時分割表示する。同時に同期用赤外線発信装置を備え、観察者は、カメラのＬＣＤモニタの偏光方向と直交する方向の偏光板を備えたメガネの直前に更に液晶板を取り付け、そのメガネの液晶板に赤外線によって同期して交互に電圧を印加し、ＬＣＤモニタ上に表示される立体映像を観察すると共に撮影時の周囲の実景を直視可能にした立体テレビカメラ。
【請求項１４】
請求項１３に記載の立体テレビカメラに於いて立体モニタ上に縦線を主体とする左右同一のパターンを左右夫々の立体視野上にソフトウェアによってスーパーインポーズ表示し、立体映像と視準パターンとを同時立体視するように構成した立体モニタ。
【請求項１５】
立体映像の左右用の映像をＬＣＤパネル上に交互に時分割表示するとともに鑑賞用メガネを同期させるための赤外線発信装置を備えた請求項３の立体映像表示装置。
【請求項１６】
視度調メガネを重ねた液晶メガネ、又は液晶シャッタメガネを固定した匡体上の明視の距離以近の位置に、ＬＣＤ又は、有機ＥＬ等の電子ディスプレイを設置し、そのディスプレイ上に立体映像の左右用の映像を時分割で交互に表示して、前記液晶メガネまたはシャッタメガネを左右用の映像に同期開閉して左右用の映像を分離視することによって二眼立体視するものであって、その立体映像は、基準ディメンション表示画面の両端と鑑賞者の左眼とを結ぶ線で決定される左の視野角内、及び基準ディメンション表示画面の両端と鑑賞者の右眼とを結ぶ右の視野角内の幅に交互に時分割表示する。よって、左右用の映像は一部が互いにオーバーラップする位置に表示され、基準ディメンション表示画面と等価の立体映像を見ることができるように構成した立体映像表示装置。
【請求項１７】
液晶メガネ、又は液晶シャッタメガネを固定した匡体上の明視の距離以遠の位置に、ＬＣＤ又は、有機ＥＬ等の電子ディスプレイを設置し、そのディスプレイ上に立体映像の左右用の映像を時分割で交互に表示して、前記液晶メガネまたはシャッタメガネを左右用の映像に同期開閉して左右用の映像を分離視することによって二眼立体視するものであって、その立体映像は、基準ディメンション表示画面の両端と鑑賞者の左眼とを結ぶ線で決定される左の視野角内、及び基準ディメンション表示画面の両端と鑑賞者の右眼とを結ぶ右の視野角内の幅に交互に時分割表示する。よって、左右用の映像は一部が互いにオーバーラップする位置に表示され、基準ディメンション表示画面と等価の立体映像を見ることができるように構成した立体映像表示装置。
【請求項１８】
標準立体映像データから左右二画面を一体に並置して作製するステレオフォトプリントまたはステレオスライドであって、人の目幅をＢとして、基準ディメンション表示画面Ｄ０までの距離をＬ０とし、ステレオフォトプリントまたはステレオスライドの鑑賞距離を任意の距離Ｌ２とすれば、
左右の画面間隔をＤＰ２は
ＤＰ２＝Ｂ（１−Ｌ２／Ｌ０）の数式で決定される間隔に配設するステレオスライドおよびステレオフォトプリント。
【発明の詳細な説明】
【技術分野】
【０００１】
本発明は、左右二つのレンズによって撮影した映像を左右夫々の眼で視る二眼立体視方式の立体映像（動画及び静止画）の撮像表示に関するものであり、表示画面サイズが異なっても、また、表示装置の機種が異なった場合であっても同一映像データを利用することによって、テレビ放送や通信回線を利用した画像の送受信等の分野において映（影）像の立体化を推進するものである。
【背景技術】
【０００２】
従来、二眼立体視方式の電子立体映像撮像表示システムが提案及び展示、販売されている。また、一部では立体テレビ放送が既に開始されたようである。
これ等従来の電子立体映像撮像表示システムは機種毎に異なるシステムを混在使用するためには表示側において画像をシフトしたりして調節する必要が生じる。しかし、これら従来の方法による調整方法は不完全なものであり汎用的実施は困難である。
（例えば特許文献１参照）。
【特許文献１】特開８−２７５２０７号公報。
【発明の開示】
【発明が解決しようとする課題】
【０００３】
そこで、立体映像表示装置の機種が異なった場合であっても、表示側において立体映像を無調節で再現可能にするために解決すべき技術的課題が生じてくるのであり、本発明は、この課題を解決することを目的とする。
【課題を解決するための手段】
【０００４】
本発明は上記目的を達成するために提案されたものであり、請求項１記載の発明は、撮影レンズと撮像素子とで構成される撮像ユニットを左右平行に設置した一対で構成するステレオカメラの視野に仮想の視野フレームを設定（参照窓と定義する）し、その参照窓は左右夫々の撮影レンズによって縮小投影されて左右夫々の撮像素子上に結像する。左右の撮像素子上に結像した参照窓の像（窓内）の画像データを読み出して立体映像データ（標準立体映像データと定義する）を送出し、表示側において、その標準立体映像データを電子ディスプレイによって参照窓と等価の表示画面（左右の画面位置が完全に一致し、参照窓を等寸大に再現表示する画面の位置及びサイズを基準ディメンション表示画面と定義する）上に、左右直交する偏光又は左右反対方向の円偏光で同時に、又は同一方向の直線偏光により時分割で交互に表示し、その偏光方式に対応した視野分離用メガネによって左右用の映像を分離視するものであって、立体視の状態を忠実に再現する立体映像撮像表示システムを提供する。
この構成によれば、撮影時に参照窓を設定し、左右の撮像素子に投影される窓内の標準立体映像データを送出し、表示側で参照窓と等寸大に拡大表示した場合を立体映像表示の基準ディメンション表示画面とすることによって撮影光景を忠実に再現する。
請求項２記載の発明は、撮影レンズと撮像素子とからなる撮像ユニット２台を左右平行に設置した一対からなるステレオカメラの視野に仮想の視野フレームである参照窓を設定し、左右の撮像素子上に縮小投影された左右夫々の参照窓の像内の画像データを読み出して標準立体映像データを送出するステレオカメラを提供する。
この構成によれば、ステレオカメラに於いて参照窓を設定することにより、送出画像データはスケール化され、標準立体映像データとして送出される。よってステレオカメラを単独に使用しても再生側の機器において撮影像の距離やサイズを正確に再現することが可能となり、機器の種類及びサイズを超えて標準立体映像データとして撮影データを共通化できる。
請求項３記載の発明は、撮影レンズと撮像素子とからなる撮像ユニット２台を左右平行に設置した一対からなるステレオカメラの視野に仮想の視野フレームである参照窓を設定し、左右の撮像素子上に縮小投影された左右夫々の参照窓の像の窓内の画像データを読み出して標準立体映像データとして送出し、その標準立体映像データによって立体映像を表示するシステムの表示側の装置であって、基準ディメンション表示画面の両端と鑑賞者の左眼とを結ぶ線で決定される左の視野角内、及び基準ディメンションの表示画面の両端と右眼とを結ぶ線で決定される右の視野角内の左右同一の任意位置に左右夫々の視野の全幅で表示（左右直交する偏光又は左右反対方向の円偏光で同時に又は左右同一方向の偏光により時分割で交互に）することによって立体映像を忠実に再現する立体映像表示装置を提供する。
この構成によれば、立体映像表示装置の実際のディスプレイサイズが、撮像装置で設定される参照窓（基準ディメンションの表示画面）より大きくても、又は小さくても、更には、左右の映像が重なり合うオーバーラップ表示範囲であっても、又は、左右用の映像を並置する左右並置表示範囲であっても立体映像データを表示位置（鑑賞距離）に対する規定の表示幅（図１に図示）に表示するのみでよい。
請求項４記載の発明は、標準立体映像データを取得するための立体映像撮像装置から立体映像表示装置へのデータ搬送手段としてディジタルＴＶ放送波を利用したシステムを提供する。
この構成によれば、立体映像データは標準化されているので特別な工夫の必要もなく従来のシステムで立体テレビジョン放送を実現できる。特にディジタルＴＶ放送は、スロット分けして送信されていて、ハイビジョンであっても搬送波に余裕があり左右用二つの映像信号を同期して送信するのに適している。
請求項５記載の発明は、立体映像を取得するための立体映像撮像装置から立体映像表示装置へのデータ搬送手段として通信回線を利用したシステムを提供する。
この構成によれば、立体映像データは標準化されているので高速通信回線（光ファイバー）網を通じて、インターネットで立体映像が自由に送受信できる。
請求項６記載の発明は、左右一対のプロジェクションユニットを並設し、左右夫々のユニットに、左右互いに直交する直線偏光又は、左右互いに反対方向周りの円偏光フィルタを装着した立体映像表示装置であって、左右の投影レンズの光軸間距離を人の眼幅に設定し、且つ左右の投影画面が基準ディメンション表示画面上（位置）で一致すべく、左右の電子ディスプレイを対称的にオフセット又は表示範囲をオフセット設定したものであって、且つ、鑑賞距離よりも投影距離を大きく設定したステレオプロジェクタを提供する。
この構成によれば、左右の電子ディスプレイを標準立体映像データによって表示するのみで、投影するスクリーンサイズに拘らず、全投影範囲（投影距離が短く小さい画面サイズ〜投影距離が長い大画面サイズまでの）において単に合焦調節を行なうのみでよく、実質的な操作はモノラルプロジェクタと同等になる。
また、ステレオプロジェクタの設置位置を観察者の眼の位置と等価位置に設置する場合には、プロジェクタ自体が邪魔になるという問題が生じる。この問題は鑑賞距離よりも投影距離を大きく設定することによって解決できる。
請求項７記載の発明は、左右一対のプロジェクションユニットを並設し、左右夫々のユニットに、左右互いに直交する直線偏光又は、左右互いに反対方向周りの円偏光フィルタを装着した立体映像表示装置であって、左右の投影レンズの光軸間距離を人の眼幅に設定し、且つ左右の投影画面が基準ディメンション表示画面上（位置）で一致すべく、左右の電子ディスプレイを対称的にオフセット又は表示範囲をオフセット設定したものであって、且つ、鑑賞距離よりも投影距離を小さく設定したステレオプロジェクタを提供する。
この構成によれば、リアプロジェクション型立体映像表示装置（リアプロジェクション型立体ＴＶ）の奥行き方向の大きさを小さく（薄く）できるという利点がある。
請求項８記載の発明は、電子ディスプレイと投影レンズとからなる一つのプロジェクションユニットによって、スクリーン上に立体映像の左右用画像を標準立体映像によって交互に時分割表示するとともに同期用赤外線発信装置を設置した立体映像表示装置を提供する。
また、上記請求項８の立体映像表示装置によって立体映像を鑑賞する場合、従来型である液晶シャッタメガネを赤外線によって同期させてもよい。更には、前記プロジェクタに偏光フィルタを取り付けて、立体映像の左右用映像を同一方向の偏光によって交互に時分割表示し、“立体映像鑑賞用メガネ”によって左右の視野を分離視するのが最適である。
上記“立体映像鑑賞用メガネ”についての説明：左右の視野を分離視するための立体映像鑑賞用メガネの左右には、左右同一の偏光板が取り付けられている。更にその前面には液晶板が取り付けられている。また、メガネには傾斜角センサが取り付けられている。前記立体映像表示装置によってスクリーンに交互に投影される光線は同一方向の偏光である。メガネの偏光板を、スクリーンから反射される偏光を遮断する方向の直交方向とすれば、メガネの左右の視野は閉ざされて暗くなる。その視野の状態は前面に取り付けた液晶板によってスクリーンからの反射光が９０°又は２７０°偏光方向が旋光されて左右両方の視野とも開状態になり明るく見えるように変化する。スクリーン上の表示画像に同期して発信される赤外線によってメガネ前面に取り付けた液晶板に交互に電圧を印加すれば電圧によって液晶が緊張状態になりスクリーンから反射されメガネに入射する偏光は、そのままの偏光方向に維持されメガネの偏光板によって遮光され視野は暗くなる。同時に、赤外線によってスクリーン上の表示映像に同期してメガネの液晶板に電圧を交互に印加すれば左右の視野は交互に開閉されスクリーンを視る左右の視野は分離され立体視が可能となる。また、メガネを傾けた場合、スクリーンとメガネとの偏光方向との相対方向関係が崩れクロストークが生ずるが、傾斜角センサによって液晶板に印加する電圧を制御し補正することによってクロストークを防止する。
請求項９記載の発明は、ＤＭＤプロジェクションユニットを使用した基準ディメンション表示画面のリアプロジェクション型ＴＶの投影レンズの前面または後面に直線偏光フィルタを取り付け、左右用の映像を時分割で表示する。時分割表示と同時にＴＶに取り付けられている視野分離用の赤外線同期信号発信装置より同期信号を発信する立体テレビジョンを提供する。
この構成によれば、従来型のＤＭＤ型リアプロジェクションＴＶそのものの投影ユニットに偏光フィルタを取り付けるだけで容易に具現化が可能である。また、鑑賞時には、前述の立体映像鑑賞用メガネを使用して分離視する。
請求項１０記載の発明は、ＬＣＯＳユニットを使用した基準ディメンション表示画面のリアプロジェクション型ＴＶであって、左右用の映像を時分割で表示する。時分割表示と同時にＴＶに取り付けられている視野分離用の赤外線同期信号発信装置より同期信号を発信する立体テレビジョンを提供する。
この構成によれば、ＬＣＯＳデバイスから射出する光線は偏光であるのでプロジェクションユニットに偏光フィルタを取り付けることは不要になり前期ＤＭＤ型のものよりも簡素になる。
請求項１１記載の発明は、前記請求項９記載の構成のＴＶ（ＤＭＤリアプロジェクタ方式）に、更に液晶セル及びλ／４板を追加したもので、偏光フィルタを透過した直線偏光を液晶セルによって偏光方向を交互に旋光させλ／４板の高速軸に対して夫々４５°及び、−４５°の角度をもって入射させることによって透過型スクリーン上に投影される立体映像の左右用の画像を互いに反対方向に旋回する円偏光で表示するものである。
この構成によれば、左右の映像を表示する光線は互いに反対方向周りの円偏光となるので鑑賞には左右反対の円偏光メガネを使用すればよく、赤外線同期装置の必要はない。また、円偏光を使用すれば、鑑賞者が頭（メガネ）を傾けてもクロストークの発生はない。但し、λ／４板の作用は波長に対して偏りがあるので色によっては遮光状態がやや不完全な場合もある。
請求項１２記載の発明は、上記請求項１１記載のＤＭＤユニットをＬＣＯＳユニットに替えたものである。
この構成によれば、ＬＣＯＳデバイスから射出する光線は偏光であるのでプロジェクションユニットに偏光フィルタの取り付けは不要になり前期ＤＭＤ型のものよりも簡素になる。
請求項１３記載の発明は、立体モニタを有する立体テレビカメラであって、立体モニタは、ＬＣＤを観察者から明視の距離近辺の位置に配置する。そのＬＣＤ上に左右用の映像を交互に時分割表示する。表示する左用画像は基準ディメンション表示画面の両端と観察者の左眼とを結ぶ線で決定される視野角内の左右方向の全幅に表示し、右用表示画像は基準ディメンションの表示画面の両端と観察者の右眼とを結ぶ線で決定される視野角内の左右方向全幅に表示する。観察者は、立体モニタのＬＣＤ表面の偏光板とは偏光方向が直交する偏光板を左右の視界に取り付けたメガネの、その直前に液晶板を取り付け、同期用赤外線によって、その液晶板を交互に駆動してディスプレイを視る視野を同期開閉する。更にメガネに取り付けた傾斜角センサによってメガネ直前に取り付けた液晶板の印加電圧を制御しクロストークを防止する。観察者はモニタの立体映像を参照窓と等価（等寸大で等位置）に視る（但し、ズームレンズ等の設定値によっては等価とならない場合がある）と同時に撮影する実景をも直視することができる立体テレビカメラを提供する。
この構成によれば、観察者（カメラマン）は立体テレビの視聴者と同一の立体感を得ることができる。また、カメラマンは、モニタ上の立体映像を実景と等倍（選択する撮影レンズによっては、等倍とは限らない）に観察すると同時に実景をも直視できる。
請求項１４記載の発明は、立体モニタの表示画面にソフトウェアによって縦線を主体とする視準パターン（左右のパターンが同一に重なり合う）をスーパーインポーズし、立体視の視認性を図ったものであり、特に請求項１３のモニタ用として最適である。
この構成によれば参照窓の設定位置が視認できるので立体テレビカメラのモニタ像に重ねて表示して利用すれば極めて効果的である。
請求項１５記載の発明は、標準立体映像データによる左右用の映像をＬＣＤパネル上に交互に時分割表示するとともに視野分離用メガネを同期させるための赤外線同期信号発信装置を備えた立体映像表示装置（立体ＴＶ）を提供する。
この構成によれば、従来のＬＣＤ型ＴＶの構成要素部品を転用できるので映像の立体化が容易に実現できる。また、立体映像データを標準化したことによりディスプレイサイズが異なっても無調整で表示できる。
請求項１６記載の発明は、電子ディスプレイに対して、左右の視野を分離するための視野分離用メガネと視度補正レンズ（明視の距離以近の物体を見る場合に観察者の眼の焦点を合わせるためのプラスジオプタのレンズ）とを重ねて、且つ、前記ディスプレイを明視の距離以近から観察する状態に設置し、そのディスプレイ上に立体映像の基準ディメンション表示画面の両端と観察者の左右夫々の眼とを結ぶ線で決定される左右夫々の視野範囲に左右交互に時分割表示して、視野分離用メガネを左右用の映像に同期作動させて左右の視野を分離して視る立体映像表示装置を提供する。
この構成によれば、小さなサイズのディスプレイを使用しても、大きなサイズのディスプレイを使用した場合と同等の立体感に観ることができる。
請求項１７記載の発明は、電子ディスプレイに対して、左右の視野を分離するための視野分離用メガネを明視の距離以遠から観察する状態に設置し、そのディスプレイ上に立体映像の基準ディメンション表示画面の両端と観察者の左右夫々の眼とを結ぶ線で決定される左右夫々の視野範囲に左右交互に時分割表示して、視野分離用メガネを左右用の映像に同期作動させて左右の視野を分離して視る立体映像表示装置を提供する。
この構成によれば、前記請求項１６記載の立体映像表示装置よりも大型の装置となるが視度の正常な人（裸眼で最も容易に見える距離が明視の距離である人）であれば視度補正メガネが不要になる。
また、請求項１６及び１７に記載のこれらの立体映像表示装置はディスプレイに対し視野分離用メガネを固定することによって観察者が頭を傾けた場合であってもクロストークを生じることはない。
請求項１８記載の発明は、左右一体の一枚の用紙またはフィルム上に標準立体映像データから左右二画面を並置記録する方式のステレオフォトプリントまたはステレオスライドを提供する。
この構成によれば左右の画面間隔が最適状態に設定されたステレオフォトプリントまたはステレオスライドを得ることができる。
【発明の効果】
【０００５】
請求項１記載の発明によれば、立体映像の撮像から表示の全過程に於いて現有の素子及び要素技術であらゆる映像の立体化が容易にできる。これは、既存のメディア（例えば、ディジタルＴＶ放送やインターネット、ＤＶＤ等）に載せることができ、また、ＴＶ放送やインターネット等において映像のモノラルからステレオへの転換が容易であるという利点を有する。
請求項２記載の発明によれば、ステレオカメラを標準化することができる。この標準化は撮像素子のサイズを超えて実現できる。また、ファインダは必ずしも立体視する必要はない。
請求項３記載の発明によれば映画館で上映するサイズの巨大なスクリーンサイズから小型テレビまで（オーバーラップ表示範囲）、更には小サイズのディスプレイを左右別々に設けて表示する範囲（左右並置表示範囲）までをも同一画像データによって表示できる。ディスプレイの種類及びサイズが異なる場合であっても同一の立体感を無調整にて得ることができる。従って、立体ＴＶ放送を一般化（実施）する場合に極めて有用である。何故ならば、立体放送は送信側の様々な規格は一元化可能であるが、受像する視聴者側においては諸々の事情において一元化不可能（例えば経済的事情や部屋の大きさ、その他で設置するＴＶのサイズがどうしても異なることは止むを得ない事情）だからである。
請求項４記載の発明は、請求項１記載の発明を応用したものであり、立体ＴＶ放送を具現化するにあたって実質的に唯一の方法であり、またディジタルＴＶ放送の本領を発揮するものである。何故ならば、ディジタルＴＶ放送はスロット分けして送信されていて、現行のディジタルハイビジョンの２チャンネル分の容量を同時に送信できるためである。
請求項５記載の発明は、請求項１記載の発明を応用したものであり、立体映像データの通信回線による送受信を具現化する場合、実質的に唯一の方法である。それは、送信側及び受信側互いの画面サイズが異なる場合であっても、送信側、受信側何れの側に於いても無加工（無調整）で良く、また、立体感や物体の大きさ等も互いに同一感を得ることができる。更には、立体ＴＶ放送との融合も可能であるという利点を有する。
また、左右用の画像を並置したステレオフォトプリントをインターネットで交換できる。そして、同様に銀塩方式のステレオスライドの注文もインターネット上で画像データとして送ることができると言う利点もある。
請求項６記載の発明は、左右一対のプロジェクションユニットを並設するステレオプロジェクタの左右の投影レンズの光軸間距離を人の眼幅に設定し、且つ左右のプロジェクションユニットの電子ディスプレイの間隔を光軸間距離よりも大きく設定することによって、標準立体映像データによる立体映像の無限遠像の相応点を画面サイズとは無関係に人の眼幅と等しい一定の間隔に再現できる。また、投影画面サイズの大小に拘らず左右用の映像を基準ディメンション表示画面と等価に観ることができる。よって、投影時の“操作”は単に焦点調節のみでよく、ステレオプロジェクタであってもモノラルプロジェクタと同等に取り扱うことができる。この取り扱い性の問題は一般に普及させる場合に非常に重要な要素である。
また、基準ディメンション表示画面の投影距離を推奨鑑賞距離（基準ディメンション表示画面を鑑賞する場合の最適な距離。例えば図１において２．５メートル）よりも大きく設定することにより鑑賞時にプロジェクタ自体が邪魔になることを回避できる。
請求項７記載の発明は、左右一対のプロジェクションユニットを並設するステレオプロジェクタの左右の投影レンズの光軸間距離を人の眼幅に設定し、且つ左右のプロジェクションユニットの電子ディスプレイの間隔を光軸間距離よりも大きく設定することによって、標準立体映像データによる立体映像の無限遠像の相応点を投影距離とは無関係に人の眼幅に等しい一定の間隔に再現するもので、投影画面サイズの大小に拘らず左右用の映像を基準ディメンション表示画面と等価に観ることができる。更に、基準ディメンション表示画面の投影距離を推奨鑑賞距離（基準ディメンション表示画面を鑑賞する場合の最適な距離。例えば図１において２．５メートル）よりも小さく設定することによってリアプロジェクションＴＶ等のプロジェクションユニット内蔵型立体映像表示装置の奥行き寸法を小さく（薄く）できる利点がある。
請求項８記載の発明の特徴は、従来型のモノラルプロジェクタに赤外線同期装置を連結するのみの簡素な構造で実施できることである。
請求項９記載の発明は構造的にはＤＭＤユニットによるリアプロジェクション型のモノラルテレビジョンに偏光フィルタを取り付け左右用の映像を交互に表示し、液晶メガネによって左右の視野を同期開閉して分離視するものである。また、画面サイズを基準ディメンションサイズにすることによって、標準立体映像データによる左右用の画像をＤＭＤ上で交互に表示すればよく、ＤＭＤのような小さな素子の一部に非表示帯を設ける必要はなくＤＭＤの全画素を有効に利用できる。また、投影レンズも一つで済む。そして、基準ディメンション表示画面の投影距離を推奨鑑賞距離よりも小さく設定することによってリアプロジェクション型立体映像表示装置（立体ＴＶ）の奥行き寸法を小さくできる利点がある。
この構成によれば、立体テレビジョンであっても、従来のＤＭＤ型プロジェクションテレビ（モノラル型）と略同一の構造にて具現化できるため安く作ることができる。
請求項１０記載の発明は、請求項９記載の発明のＤＭＤユニットをＬＣＯＳユニットに替えたものである。
この構成によれば、ＬＣＯＳユニットから射出される光線は偏光であるので、偏光フィルタが不要になる。これは、単にフィルタの費用分価格が安くなるのみならず偏光フィルタによる光量損失を軽減できる。
請求項１１記載の発明は、前記請求項９記載のＤＭＤプロジェクションユニットによるリアプロジェクション型テレビジョンの偏光フィルタの次に、液晶セル、λ／４板の順に配置し左右用の映像を交互に表示するもので、ＤＭＤの表示に同期して液晶セルに電圧を印加し、λ／４板の高速軸に対して直線偏光の振幅方向を交互に±４５°の角度をもって入射させることによって、左右互いに反対方向回りの円偏光とし、鑑賞者は左右互いに反対方向回りの円偏光メガネを使用して左右の視野を分離視するものである。
この構成によれば、左右用の映像は時分割で交互に表示するにも係らず、鑑賞用メガネの同期を執ることが不要となり、鑑賞用メガネが安くなるのみならず、メガネにバッテリを取り付ける等の煩わしさがなくなることである。また、プロジェクション型テレビジョンに於いては偏光フィルタ、液晶セル、λ／４板、夫々の口径が投映用レンズの口径と略等しい小径で済むことも有利な点である。
請求項１２記載の発明は、上記請求項１１記載のＤＭＤユニットをＬＣＯＳユニットに置き換えたものである。
この構成によれば、ＬＣＯＳユニットからの射出光は偏光であるので偏光フィルタが不要になる。そのための光量損失が軽減される。
請求項１３記載の発明の特徴は立体テレビカメラの立体モニタ上に立体映像を表示し、その立体映像を撮影光景の実景と等寸大に観察できることである。従って、カメラマンは視聴者が観る立体映像と同一感覚の立体映像をモニタ上に視ることができる。更に、モニタの立体映像を視ると同時に実景をも直視できる。
この構成によればカメラマンは撮影録画又は送信している立体映像をモニタ上で常に観察すると同時に、実景を直視して比較して見ることができる。更にモノラルであっても、又は、ステレオであっても、動画を撮る場合、撮影と同時に事態の進行を察知することが大切である。よって、モニタと同時に実景を常に見ることができるこの構成のテレビカメラの作用効果は絶大である。
請求項１４記載の発明の特徴は、立体撮像装置のモニタにソフトウェアによって視準パターンをスーパーインポーズ表示し、立体映像と重ねて同時立体視することにより立体感の良否の視認性の向上を図ったものである。
この構成によれば、撮影者は、立体映像の撮影に於いて立体感の適否を瞬時に判断できる。
請求項１５記載の発明は、従来の液晶ＴＶに標準立体映像データによる立体映像の左右用の映像を交互に時分割表示し、同時に視野分離メガネ用の赤外線同期信号を発信するのみでよい。
この構成によれば、立体映像表示装置が最も手軽に実現できる。
請求項１６記載の発明の特徴は、標準立体映像を時分割で交互に表示する電子ディスプレイと視野分離用メガネを互いに固定することによってクロストークの発生を防止すると共に、更に明視の距離以近の位置から観察するべく視度補正メガネを設置したことである。
この構成によれば、ディスプレイと視野分離用メガネは互いに固定された状態であるので観察者が頭を傾けた場合であってもクロストーク発生の恐れはない。また、視度補正メガネを取り付けることによって明視の距離よりも近い位置から観察可能になり小さなディスプレイを用いた場合であっても立体映像を大画面（基準ディメンション表示画面）で観察することが可能になる。
また、この構成は、立体映像撮像装置のファインダ（モニタ）としても非常に効果的である。それは、外形が小型にでき携行性、取扱い性に優れ、その上外光を遮光しているので昼間の屋外等の明るい環境の下でファインダの視認性が向上するからである。
請求項１７記載の発明の特徴は、標準立体映像を時分割で交互に表示する電子ディスプレイと視野分離用メガネを互いに固定することによってクロストークの発生を防止することである。また、視野分離用メガネの設置位置を、ディスプレイを明視の距離以遠から観察するべく位置に設置したことである。
この構成によれば、視度補正レンズが不要になる。これは、観察者自身が通常使用している視度補正メガネ（近視用、遠視用、又は老眼鏡）等を使用するか又は裸眼で見ればよいことである。
更に、請求項１６及び１７記載の発明の特徴は、観察者が視野分離用メガネを掛けないことにある。これらの立体映像表示装置では一人しか鑑賞できないものの、例えば、公衆的設置状況において、鑑賞用（視野分離用）メガネ等直接肌に着けるものを共用するのは衛生上好ましくないからである。
請求項１８記載の発明の特徴は、立体写真の左右用の画像を一枚のシート上に並置記録可能にしたことである。
この構成によれば、フォーマット（画面サイズ）が異なる場合であっても、最適な画面間隔のステレオフォトプリントまたはステレオスライドを容易に作製できる。
【図面の簡単な説明】
【０００６】
【図１】本発明の立体視の概念図。
【図２】図１の基準ディメンション表示画面（図示の大型立体ＴＶ）と標準立体映像データを送出するステレオカメラとの関係図。
【図３】図１の詳細説明図
【図４】図２（ｂ）のステレオカメラに広角撮影レンズを取り付けた場合の説明図。
【図５】図２（ｂ）のステレオカメラに長焦点撮影レンズを取り付けた場合の説明図。
【図６】左右二つのプロジェクションユニットを並設するステレオプロジェクタの説明図。
【図７】シングルプロジェクションユニットによるステレオプロジェクタの説明図。
【図８】シングルプロジェクションユニットによる直線偏光時分割表示のリアプロジェクション型立体テレビの説明図。
【図９】シングルプロジェクションユニットによる円偏光時分割表示のリアプロジェクション型立体テレビの説明図。
【図１０】立体モニタ上で立体像を観察し、同時に実景を視ることができる立体テレビカメラの説明図。
【図１１】立体モニタに表示する視準パターンの一実施例。
【図１２】立体映像表示装置の斜視図。
【図１３】図１２の立体映像表示装置の視野分離用メガネ及び視度補正用メガネの断面図。
【符号の説明】
【０００７】
Ｂ          人の眼幅
Ｌ          基準ディメンション表示画面までの距離
ＥＬ        左眼
ＥＲ        右眼
Ｄ          ディスプレイ
Ｉ∞        無限遠像
ＷＤ        ディスプレイの幅
Ｅｒｅｆ    相等参照窓のディスプレイ（基準ディメンション表示画面）
Ｗｒｅｆ    参照窓
ＷＷ        参照窓幅
Ｓ          撮像素子
Ｉｒｅｆ    撮像素子上の参照窓の像
α          視野角
Ｆ          焦点距離
ＷＳ        撮像素子の幅
ＤＳ        左右の撮像素子の間隔
Ｏ∞        無限遠物体
Φ          ステレオカメラの光軸
Ｄ０        基準ディメンションのディスプレイ
Ｄ１        オーバーラップ表示範囲で基準ディメンションよりも小さいディスプレイ
Ｄ２        左右並置表示範囲のディスプレイまたはステレオスライド
ＷＰ０      ディスプレイＤ０の幅
ＷＰ１      ディスプレイＤ１（部分）の幅
ＷＰ２      左右夫々のディスプレイの幅
ＤＰ１      ディスプレイＤ１上に表示される左右の画面間隔（ピクチャーディスタンス）
ＤＰ２      左右のディスプレイの設置間隔又はステレオスライドのピクチャーディスタンス
Ｌ０        基準ディメンションの設定距離
Ｌ１        ディスプレイＤ１までの距離
Ｌ２        左右並置表示範囲のディスプレイＤ２又はステレオスライドの設定距離
ＬＸ        左右並置表示範囲とオーバーラップ表示範囲との境界点（原理上の）
Ｗｒｅｆ´  広角レンズを取り付けた場合の左右の撮影視野の合致点。
Ｗｒｅｆ″  長焦点レンズを取り付けた場合の左右の撮影視野の合致点
ＰＬ        基準ディメンションよりも大きい画面サイズの左画面の表示範囲
ＲＲ        基準ディメンションよりも大きい画面サイズの右画面の表示範囲
Ｓ０        基準ディメンション表示画面位置のスクリーン
Ｓ１        近距離に位置する（１メートル）スクリーン
Ｓ２        左右用映像を並置する距離に位置するスクリーン
Ｓ３        基準ディメンション表示画面位置よりも遠くに位置するスクリーン
６０        プロジェクタ
６１        投影レンズ
６２        ディスプレイ
ＤＤ        ディスプレイの間隔
ＷＤ        ディスプレイの幅
θ          投映角
７１        基準ディメンション表示画面相等スクリーン
７２        投影レンズ
７３        ディスプレイ
０          投影レンズの作用点
Ｘ          無限遠像の相応点を表示する位置（光軸延長点）
８１        ＤＭＤ又はＬＣＯＳ表示（投影）ユニット
８２        投影レンズ
８３        偏光フィルタ
８４        透過型スクリーン
８５        立体映像鑑賞用メガネ
９１        ＤＭＤ又はＬＣＯＳ表示（投影）ユニット
９２        投影レンズ
９３        偏光フィルタ
９４        液晶セル
９５        λ／４板
９６        透過型スクリーン
９７        円偏光メガネ
１００      参照窓（仮想視野フレーム）
１０１      ステレオＴＶカメラの立体モニタ
１０２      ステレオＴＶカメラ
１０３      立体映像鑑賞用メガネ
１０４      カメラマン
ＣＰ        視準パターン
１２１      ディスプレイ
１２２      ボード
１２３      ハウジング
１３０      視野分離用メガネ
１３１      液晶板
１３２      偏光板
１３３      視度補正メガネ
【発明を実施するための最良の形態】
【０００８】
本発明の特徴は、ステレオカメラの撮像素子の大きさ、及び立体表示装置の表示範囲及び画面サイズが異なる場合であっても立体映像データを共用可能にしたことであり、あらゆる立体映像の距離感及び寸法を共通に認識するためには撮影時に参照窓を設定することである。そして、この参照窓を視野フレーム（左右の画像フレーム）として撮影し、表示に必要な基準立体映像データとして送出する。そして、表示側において標準立体映像データを撮影側の参照窓と等価の基準ディメンションの画面に表示することによって忠実な立体感を再現する。
例えば、図２において参照窓Ｗｒｅｆの幅を……ＷＷ
撮像素子に投影される参照窓内の像Ｉｒｅｆの幅を…ＷＳ
基準ディメンションの表示画面幅を……ＷＤ
とすれば、撮影倍率ｒは、ｒ＝ＷＳ／ＷＷ
表示倍率Ｒは、Ｒ＝ＷＤ／ＷＳ
として、ｒ×Ｒ＝１とすることである。上記数式によれば撮像素子の幅ＷＳの大きさに拘らずステレオカメラの送出画像データを標準立体映像データ化することは容易であると理解される。
【実施例１】
【０００９】
図１は、立体視の概念図である。図示の大型立体ＴＶを（ディスプレイ幅１８００ｍｍ）基準ディメンション表示画面のテレビとすれば、各々のサイズの表示画面と、その配置は図示の関係になる。
図３は、図１の寸法及び配置関係をより詳細に表したものであるが、図３は実際の寸法比率に対し、観察者の位置に近付くに従って大きくなる寸法比率で表している。これは、作図上の混雑を回避するためのものである。
図３に於いて観察者の眼から、図示の左右並置表示範囲とオーバーラップ表示範囲との境界線までの距離ＬＸは、  ＬＸ＝Ｌ０／（１＋ＷＰ０／Ｂ）の関係となり、
Ｌ０＝２５００ｍｍ、  ＷＰ０＝１８００ｍｍ  とすれば
眼幅寸法がＢ＝５８ｍｍのとき、
ＬＸ＝２５００／（１＋１８００／５８）＝７８．０４ｍｍ
眼幅寸法がＢ＝７２ｍｍのとき、
ＬＸ＝２５００／（１＋１８００／７２）＝９６．１５ｍｍとなる。
左右並置表示範囲では左右の視野を仕切るための隔壁が必要で、実際の鑑賞距離は７５ｍｍ位が略限度である。また、７５ｍｍは明視の距離に比べて非常に近くなるために視度調節用のルーペが必要で、ルーペは視距離よりも僅かに大きい焦点距離のものが程よいため、この場合使用するルーペの焦点距離は約８０ｍｍが適当である。
また、眼幅寸法（ステレオベース）Ｂは観察者個々において多少の差があるが鑑賞距離が大きい場合には（オーバーラップ表示範囲）無限遠像の相応点の左右の間隔と眼幅寸法Ｂとの多少の差は無視しても良い。
そして、左右並置表示範囲において、眼幅寸法Ｂとの差の余裕は少ないが視度調節レンズの間隔を調節することによってその差は緩和される。
左右の画面間隔、即ちピクチャーディスタンスは図３に図示の左右の眼幅間隔Ｂと基準ディメンションのディスプレイＤ０までの距離Ｌ０とで次の関係となる。任意の距離ＬＮに配置されたディスプレイＤＮのピクチャーディスタンスＤＰＮは、ＤＰＮ＝Ｂ（１−ＬＮ／Ｌ０）の値となる。
左右夫々の画面幅ＷＰ０は鑑賞者の眼からの距離に比例するが左右夫々の眼に入る光線がディスプレイＤ０を挟む図示の視角αが同一のため、図３に図示の各々の見かけ上の画面幅は、ＷＰ０＝ＷＰ１＝ＷＰ２の関係になり同じ大きさに見える。
上述のように、基準ディメンション表示画面のＴＶ（図１に図示の大型ＴＶ）に標準立体映像データを図１に図示の関係配置に表示することによって、左右用の画像を重ねて表示するオーバーラップ表示範囲から左右単独の表示面を有する左右並置表示範囲までの全ての表示範囲において共通のデータを使用することができる。この場合、図示の各々のディスプレイには標準立体映像データを左右夫々規定された条件に配置（位置及び幅）表示するのみでよい。
図２は、図１に図示の関係配置の立体画像データを取得する手段のステレオカメラの解説図である。図２（ａ）は、図１の立体視の状態と全く同一の状態図で、図２（ｂ）を、ステレオカメラとする場合の関係図である。  今、図２（ａ）に図示の相等参照窓のディスプレイＥｒｅｆを図１の基準ディメンション表示画面のテレビ（図１に図示の大型立体ＴＶ）のディスプレイとし、図２（ｂ）のステレオカメラに参照窓Ｗｒｅｆを設定し、カメラの左右の撮影レンズの間隔を眼幅寸法Ｂとすれば、図２（ａ）の相等参照窓のディスプレイＥｒｅｆから観察者の左右夫々の眼ＥＬ及びＥＲまでと、２（ｂ）の幅ＷＷの参照窓Ｗｒｅｆから左右夫々の撮影レンズＬＬ，ＬＲまでは共役関係が成立する。よって、左右夫々の視野角α内に配置される撮像素子上の画像データは、人が実際に図１の基準ディメンション表示画面のテレビ（図示の大型立体ＴＶ）を観察する場合と等しくなる。また、視野角α内に配置される撮像素子のサイズ（幅）は撮像素子を配置する光軸方向の位置で決定される。
図２（ｂ）において撮像素子の幅ＷＳは、ＷＳ＝ＷＷ×ｆ／Ｌで計算される。また、左右の撮像素子の間隔（倒立像状態のピクチャーディスタンス）、即ち図示のＤＳは、
ＤＳ＝Ｂ（１＋ｆ／Ｌ）で計算され、左右の撮影レンズの間隔＝人の眼幅Ｂよりも大きくなる。
撮像素子上に投影される像は倒立状態であり、正立させるために左右夫々の位置で１８０°回転すれば左右の画面間隔、即ちピクチャーディスタンス（表示側＝正立像状態）は人の眼幅Ｂよりも小さくなる。また、図２（ｂ）に図示の参照窓Ｗｒｅｆと、左右夫々の撮影レンズの主点を通り、参照窓Ｗｒｅｆの窓ＷＷを挟む線で構成される二つの三角形（一部が重なり合う二つの三角形）と、左右夫々の撮影レンズの主点をとおり左右夫々の撮像素子Ｓの両端を挟む線と撮像素子自身の面で構成される夫々二つの三角形とは、左右夫々の撮影レンズの主点を点対称として相似形になっている。また、左右のユニットは図示の中心線０を対称線として左右対称であるため図の紙面の中心線０を折り畳み線として折りたためば左右の光軸Φ（Ｌ）とΦ（Ｒ）とが一致して左右同士が重なり合う。従って、図２（ｂ）のステレオカメラによって撮影した立体映像を図１の基準ディメンション表示画面のＴＶ（図示の大型立体テレビ）の同一画面位置に時分割で交互に、又は偏光等で同時に重ねて映し、視野分離用メガネによって左右の眼夫々で左右用夫々の画面を見れば無限遠像の相応点は自ずと人の眼幅に表示される。よって、最適状態の立体映像を再現できる。なお、基準ディメンションの同一位置に映すためには特別な手立ては必要とせず、図２（ｂ）に図示の撮像素子Ｓ上の像を図２（ａ）のディスプレイ上において表示倍率を、ディスプレイＤの画面幅ＷＤと撮像素子の幅ＷＳとの単純比のＷＤ／ＷＳの倍率で表示すればよい。
また、図１に図示の各々のサイズの左右夫々の画面幅は各々の表示装置の配置距離と基準ディメンション表示画面のＴＶまでの距離との比で決定される（図３においてＬ１／Ｌ０＝ＷＰ１／ＷＰ０）従って、左右用夫々の表示画面幅は単純比であるので算出は容易である。
そして、図１に図示のとおり、立体映像は全ての範囲において無限遠の相応点を人の眼幅間隔で表示するべきであるから、無限遠＝眼幅＝左右の撮影レンズの光軸間距離であり、ステレオカメラの左右の撮影レンズに入射する無限遠の相応点からの光線は互いに平行であるため撮像素子上に投影される無限遠像の相応点は光軸間距離に等しくなる。従って、如何なるディスプレイサイズであっても、左右の表示画面間において無限遠の相応点の間隔＝人の眼幅に設定するには、左右の夫々の撮像素子上における左右夫々の撮影レンズの光軸中心対応位置を表示画面上で左右の間隔が人の眼幅間隔と等しくなる位置に設定するのみでよい。つまり、如何なる画面サイズの立体表示装置であってもステレオカメラの左右夫々の光軸を基準にして、再生画面の左右間において撮像ユニットの左右の光軸間隔相応間隔を人の眼幅に等しい寸法に表示することである。
図４は図２に図示の状態のカメラの撮影レンズを広角レンズに交換した場合の状態図で、同一幅の被写体を広角に撮影するためには対物距離は小さくなり、また、同一サイズの撮像素子に結像させるためには撮影レンズの焦点距離は短くなる。図４に図示するように、短焦点距離の撮影レンズに交換した場合、立体視において左右の視野が一致する距離も短くなる。もし現実の光景を裸眼で直視る場合であれば、図４に図示の破線で表示する位置の視野フレームＷｒｅｆ´内に無限遠（写真撮影的の無限遠）を含む場合には、立体視において、近景の物体と遠景の物体とを同時に視ることは不可能である（人が実際の光景を見る場合その時々瞬時に狭い視野を視て脳内処理しているようで実際には見ることができるが視神経に疲労を来す）。しかし、この状態（短い焦点距離の撮影レンズで撮影し、左右の視野が短い撮影距離に於いて合致している）のカメラで撮影した立体画像データを図１に表記の基準ディメンション表示画面の立体テレビによって見た場合には、立体視の状態は良好になる。図４に図示の破線で表示する参照窓Ｗｒｅｆ´を設定した場合、窓が実在するとして、その窓から実景を直視したとすれば近景と遠景との視差が大きいため立体視に於いて左右の視野を融合視することが不可能になるが、この立体映像データを図１に表記の設定状態の各々の表示装置で見れば、図４の破線で表示の参照窓Ｗｒｅｆ´は図示の実線表示の参照窓Ｗｒｅｆ位置まで遠のいて見えることになるので、普通に立体視ができる。従って、広角撮影レンズの使用は狭い場所での撮影において被写体に近づいて撮影できるので有利になる。
図５は、図４の場合とは逆に、焦点距離の長いレンズの使用例である。撮影レンズの焦点距離が長い場合、左右の撮影視野は、標準的な鑑賞距離よりも遠くの位置で一致する（図示の破線位置）しかし、この場合も、図１に図示の表示装置によって鑑賞すれば、実際には破線で表す遠くに位置する筈の参照窓Ｗｒｅｆ″は、実線で表す視野フレームＷｒｅｆの位置まで近付いて見える。
上記図４及び図５に基づく説明によればズームレンズの使用も実施可能なことは当然であり、撮影レンズの焦点距離がいずれに変化しても前記図２に示す式で計算する基準ディメンション表示画面に合わせた撮像素子の幅及び間隔でよい（撮像素子の幅は実際には大きめのものを使用し読み出し範囲を設定しても良い）そして、ステレオカメラの撮影レンズの焦点距離を変化させても鑑賞側の立体テレビは、例えば図１に図示の各々の条件に一定状態に設定しておくのみでよい。これは、無限遠の相応点から左右の撮影レンズに入射する光線は互いに平行になり、同時に撮影レンズの光軸間距離を人の眼幅に設定しているためである。そのために、左右の撮像素子上に投影される無限遠の相応点の間隔は人の眼幅と等しくなるからである。
同じステレオカメラに対して撮影レンズの焦点距離を変えた場合でも左右一対の撮像素子の幅及び間隔は一定であるので、撮影レンズの焦点距離が変化した場合、左右の視野が一致する撮影距離が変化する。立体映像に於いて、通常どのような場合であっても、左右の視野が一致する距離以近の物体が撮影視野に入る撮影状態は好ましく無い。ステレオカメラに於いて例えファインダを立体視するものであっても、左右の視野の一致する距離以近に物体が撮影視野に入っているか、又は、いないのかを視認することは極めて困難であるが、図１１に図示の視準パターンをファインダの左右夫々の画面に重ねて表示することによって視認性が向上する。
図６に図示のステレオプロジェクタ６０は、人の眼幅間隔に設定した左右一対の投影レンズ６１Ｌ、及び６１Ｒを備えている。更に、幅ＷＤのディスプレイ６２Ｌ及び６２Ｒを左右の投影レンズ６１の間隔よりもやや大きい間隔ＤＤに設置することによって、左右の用の投影画面を基準ディメンション表示画面と等価のスクリーンＳ０上で合致させている。よって、任意距離のスクリーン上に合焦させるのみで、投影画像は図１に表示の状態と同一条件に表示され、適切な視距離から観察すれば良好な立体感を得ることができる。
このディスプレイ６２Ｌ及び６２Ｒの位置は、図示の投射角θの位置であれば、ディスプレイ６２の幅ＷＤのサイズは限定されず投影レンズのスクリーンＳ０〜Ｓ３まで、即ち、全投影距離においてレンズの焦点距離ｆ及び焦点調節量
2010082365.tif 000003
に図示の写角αと同一角度に設定すれば図２（ｂ）に図示の撮像素子Ｓの幅ＷＳと図６に図示のディスプレイ６２の幅ＷＤとでは同一幅に設定する必要はない。
しかし、図示において、実際にはプロジェクタの設置位置（距離）と鑑賞距離が等しくなりプロジェクタ自体が邪魔になる。これはプロジェクタの設置距離（スクリーンＳ０〜Ｓ３）をｎ（ｎ＞１）倍にすることによって解決できる。従って、前項で説明の投射角θと図２（ｂ）に図示の写角αとの関係はθ＝αとはならず、θ＜αの関係になる。
図７は、二つのプロジェクションユニットを並置した図６のステレオプロジェクタをシングルユニットに改変した場合の説明図である。破線で図示の左右のディスプレイ７３Ｌ及び７３Ｒ上に表示された左右用の映像は、破線で図示の左右夫々の投影レンズ７２Ｌ及び７２Ｒによってスクリーン７１上に左右の幅方向を合致させて結像する。左右の投影レンズの光軸間距離は人の眼幅と等しい寸法の６５ｍｍ離間して設定しているにも拘らずスクリーン７１上で左右の投影画面が合致するのは、左右のディスプレイ７３Ｌ及び７３Ｒの間隔を光軸間距離よりも大きく設定しているからである。
図７に破線で図示の三角形ａ，Ｏ（Ｒ），ｂと、三角形ｆ，Ｏ（Ｒ），ｅとは、点Ｏ（Ｒ）を対称点として相似形であり、同様に破線で図示の三角形ａ，Ｏ（Ｌ），ｂと三画形ｄ，Ｏ（Ｌ），ｃ及び、実線で図示の三画形ａ，Ｏ（Ｃ），ｂと三画形ｈ，Ｏ（Ｃ），ｇとは夫々、点Ｏ（Ｌ）及び点Ｏ（Ｃ）を対象点として相似形となる。従って、夫々の線分ｃ−ｄ，ｇ−ｅ，ｅ−ｆは等しくなる。よって、破線で図示の左右の投影レンズ７２（Ｌ），７２（Ｒ）を、その中間位置に実線で表す７２（Ｃ）の位置に移動したとすれば、ディスプレイ破線で図示の７３（Ｌ）及び７３（Ｒ）は中間位置に実線で表す７３（Ｃ）に重なり合うことになる。また、ディスプレイ７３（Ｌ）及び７３（Ｒ）上に表示すべき左右用の映像を、投影レンズ７２（Ｃ）及びディスプレイ７３（Ｃ）によるシングルプロジェクションユニットを用い左右用の映像を時分割で交互に表示すれば左右二つのプロジェクションユニットを並置したプロジェクタと同等になる。そして、左右の投影レンズの光軸間距離に等しい寸法にスクリーン７１上に結像する無限遠像の相応点に対するディスプレイ７３（Ｌ）上の像ＸＬ及び７３（Ｒ）上のＸＲは、ディスプレイ７３（Ｃ）上では→で示す位置関係に交互に表示される。左右位置が反転しているのはプロジェクタの像は原画を表示するディスプレイには倒立像を表示し投影レンズで反転するからである。
なお、無限遠像の相応点を図示のよう左右対称位置、即ち立体視の状態で画面中央位置に見えるように描いているが、実際の無限遠像は画面中央とは限らず、これは説明の便宜上の作図である。しかし、無限遠の物体の同一点から発射される光線は左右の眼に平行に入射する。従って、このような作図法で表しても一般的に理解されると思われる。
図８は、前記図７に説明のシングルプロジェクションユニットによる立体映像表示装置の応用例である。立体映像表示装置８０（立体テレビジョン）は、ＤＭＤ８１に表示する映像を投影レンズ８２によって透過型スクリーン８４上（裏面）に投影するリアプロジェクション方式のものであって、投影レンズ８２の前面には偏光板８３が設置されている。この状態でＤＭＤ８１によって左右用の映像を時分割で交互に表示すれば、透過型スクリーン８４には、左右用の映像が同一状態の偏光で、且つ、時系列が交互に表示される。この立体映像を前述の立体映像鑑賞用メガネで鑑賞すれば、左右の視野が分離して立体視ができる。
また、表示素子をＤＭＤの代わりにＬＣＯＳを使用する場合、ＬＣＯＳから反射する光線は偏光であるので図８に図示の偏光板８３は不要になる。（請求項１０）
図９は、立体映像表示装置９０（立体テレビジョン）で、ＤＭＤリアプロジェクションユニット９１の投影レンズ９２の前面に偏光板９３を設置し、その前面に液晶セル９４を配置し、更に、その前面にλ／４板９５を配置して、標準立体映像データによる立体映像の左右用の映像をＤＭＤ９１上に交互に表示するとともに、ＤＭＤ９１の表示画像に同期させて液晶セルを駆動し、λ／４板９５の高速軸に対して偏光方向が４５°及び−４５°の関係に入射するように制御することによって、透過スクリーン９６上に立体映像を右周り及び左周りの円偏光で交互に表示する。この場合、鑑賞に円偏光メガネを用いることによって、メガネを傾けてもクロストークを生じない。（請求項１１）
また、上記の装置９０において、ＤＭＤに代えてＬＣＯＳを使用すれば、偏光板９３は不要となる。（請求項１２）
テレビ放送用ステレオカメラにおいて、ステレオスコピックファインダに映る撮影視野を観察すると同時に実景をも直視できることが望ましい。このようなステレオスコピックファインダ（モニタ）を実現するものとして、例えば、図１に図示の１２インチ幅の液晶ディスプレイを立体テレビカメラに取り付ける。１２インチサイズはカメラのモニタとしては大きい部類に属するが、図示のように３５０ｍｍの位置から見ることができる。この場合、左右の像は交互に時分割で表示する。同時に、ディスプレイに取り付けられた同期信号発信装置から同期用の赤外線が発信される。（図示省略）そして、左右の視野を分離する立体映像鑑賞用メガネの左右には左右同一の偏光板が取り付けられている。更にその前面には液晶板が取り付けられている。また、メガネには傾斜角センサが取り付けられている。前記ＬＣＤから交互に放出される左右の光線は同一、且つ一定方向の偏光である。前記メガネの偏光板をＬＣＤから放出される偏光を遮断する方向の直交方向とすればメガネの左右の視野は閉ざされて暗くなる。その視野の状態は前面に取り付けた液晶板によってＬＣＤからの入射光が９０°又は２７０°偏光方向が旋光されて左右両方の視野とも開状態になり明るく見えるように変化する。ＬＣＤ上の表示画像に同期して発信される赤外線によってメガネ前面に取り付けた液晶板に交互に電圧を印加すれば電圧によって液晶が緊張状態になりＬＣＤから放出される偏光は、そのままの偏光方向に維持されメガネの液晶板によって遮光され視野は暗くなる。同時に、赤外線によってＬＣＤに同期してメガネの液晶板に電圧を交互に印加すれば左右の視野は交互に開閉されＬＣＤを視る左右の視野は分離され立体視が可能となる。また、メガネを傾けた場合、ＬＣＤとメガネとの偏光方向との相対方向関係が崩れクロストークが生ずるが、傾斜角センサによって印加電圧を制御し補正することによってクロストークを防止する。なお、電子的撮像装置に於いてファインダは必ずしもカメラと一体化する必要はない。例えば、左右一対の撮影レンズと、左右一対の撮像素子とで構成するステレオカメラとノート型パソコンとをＵＳＢケーブル等で繋げばＰＣそのものがファインダと化す。
図１０は、上述の立体テレビカメラの一実施例で、図示の二点鎖線１００は、前記説明の参照窓である。この参照窓は実質的にカメラの視野であり、ステレオカメラによって撮影する実景に仮想的に設定した視野フレームである。この仮想視野フレームは、例えば家の窓等から外の景色を見ている状態と同等である。しかし、実際の光景にはフレームは存在しないため、当然、カメラマン１０４は立体テレビカメラ１０２越しに立体映像鑑賞用メガネ１０３を通して撮影視野（図示の参照窓１００）のみならず撮影視野外の光景をも直視している。そして、モニタ１０１に視線を落とせばモニタ１０１上（内）には参照窓１００と同一サイズで同一距離感（実際の表示寸法は異なるが、そのように見える）の立体映像を視ることができる。
図１０のモニタ用ディスプレイ１０１の幅と適正な視距離との関係は、図３においてＬ１＝３５０ｍｍ  とすれば、左右用夫々の表示画面幅は図示の
ＷＰ１で、  ＷＰ１＝ＷＰ０×Ｌ１／Ｌ０
ＷＰ０＝１８００ｍｍ、  Ｌ０＝２５００ｍｍとすれば、
左右夫々の表示画面幅ＷＰ１は、
ＷＰ１＝１８００×３５０／２５００＝２５２ｍｍ  になる。
左右の画面間隔、即ちピクチャーディスタンスは図３のＤＰ１で、
前述表記のＤＰＮ＝Ｂ（１−ＬＮ／Ｌ０）
ＤＰ１＝Ｂ（１−Ｌ１／Ｌ０）  で  眼幅をＢ＝６５ｍｍとすれば、
ＤＰ１＝６５（１−３５０／２５００）＝５５．９ｍｍ
左右の画像表示画面の中心間距離即ちピクチャーディスタンスは、図３で説明の間隔で表示し、無限遠像の相応点の間隔を人の眼幅に等しい間隔の６５ｍｍに表示する。  図３に於いてＤＰ１（Ｒ）が右用の画面であり、ＤＰ１（Ｌ）が左用画面である。このときのディスプレイＤ１のサイズ（全幅）は、
ＷＰ１とＤＰ１の総計で、ＷＰ１＋ＤＰ１＝２５２＋５５．９＝３０７．９ｍｍ
この寸法は、１２インチ、１２×２５．４＝３０４．８ｍｍよりも僅かに大きいが、これは視距離自体１０ｍｍ刻みの数値に処理して表記したためであり、また実際には視距離は多少遠くから視ても問題は無い。
また、逆にディスプレイサイズから視距離Ｌ１を計算すれば、
図３において、Ｌ１＝Ｌ０（ＷＰ１＋ＤＰ１−Ｂ）／（ＷＰ０−Ｂ）
ＷＰ１＋ＤＰ１＝１２″＝３０４．８ｍｍ
Ｂ＝６５ｍｍ
ＷＰ０＝１８００ｍｍ
Ｌ０＝２５００ｍｍ
とすれば、視距離Ｌ１は
Ｌ１＝２５００（３０４．８−６５）／（１８００−６５）＝３４５．５３ｍｍ
となる。
更に、立体テレビカメラのモニタの立体視の視認性を容易にするために、表示する左右の画像夫々に縦線を主体とする視準パターンをソフトウェアによって重ねて表示する。図１１は、図１０の立体テレビカメラ１０２のモニタ１０１の詳細図で、モニタ１０１（ディスプレイＤ１）上には、左右用の画像と夫々が重なる位置に視準パターンをソフトウェアによって表示する。勿論、視準パターンはファインダのみに表示し、ステレオカメラから送出する画像データは撮像画像データのみとする。
本明細書２４頁２１行目から２７頁４行目に説明の立体テレビカメラ１０２の液晶モニタ１０１を立体映像鑑賞用のメガネ１０３を通して立体視すれば立体感の調整状態が視認できる。そして、この立体テレビカメラのモニタで視る立体映像は、この立体テレビカメラで撮影送信された立体放送を受信して立体テレビを観ている視聴者と、全く同一状態の立体感を感知できる。
更にモノラルであっても、又は、ステレオであっても、動画を撮る場合、撮影と同時に事態の進行を察知することが大切である。よって、モニタと同時に実景を常に見ることができるこの構成のテレビカメラの作用効果は絶大である。
本明細書２４頁２１行目から２７頁１３行目に記載の立体映像撮像装置は非常に効果的ではあるが、ファインダ（モニタ）部が大きく、手持ちでの撮影や携行性等に問題がある。また、ファインダ部の遮光が不完全なため明るい撮影環境においてファインダ像が見にくいという問題がある。
図１２は、ディスプレイに視野分離用メガネを固定した立体ファインダの斜視図で、立体ファインダ１２０のディスプレイ１２１と視野分離用メガネ１３０を保持するボード１２３とはケーシング１２３で固定されている。ディスプレイ１２１は例えばＬＣＤで、左右用の映像を図示の画面幅ＷＤ上のＰＬ部分に左用映像を、ＰＲ部分に右用映像を交互に時分割表示し、視野分離用メガネ１３０を同期させて左右の視野を分離して立体視する。視野はケーシング１２３で覆われて外光が遮光されるので屋外の明るい環境下でもディスプレイを鮮明に観察できる。また、ディスプレイに対し視野分離用メガネを固定しているので、観察者が頭を傾けた場合であってもクロストークの恐れはない。
ファインダ（ディスプレイ）のサイズは、図３において説明の如く大きくてもまたは小さくても表示の仕方及び視距離によって基準ディメンション表示画面と同等に観ることができるが、傾行性を考慮した場合ディスプレイサイズは小さいほうが望ましい。ディスプレイサイズが小さい場合、ディスプレイを視る距離は、明視の距離よりも小さくなる。観察距離が明視の距離よりも小さい場合、正視（裸眼で明視の距離に焦点が合っている）の人であっても図１３に図示の視度補正レンズ（プラスジオプター）が必要で、また、視度補正レンズ１３３を光軸方向に移動する（図示せず）ことによって、観察者の視度に合わせて調節できる。
図１３は前記図１２の立体映像表示装置１２０の視野分離用メガネ１３０の構成図で、その主体は、偏光板１３２と液晶板１３１とで構成されている。図１２の立体映像表示装置１２０のディスプレイ１２１がＬＣＤであれば表示光は偏光であり、表示光の振幅方向に対して図１３に図示の偏光板１３２を前記偏光を遮光する状態の直交方向に配置（左右ともに）すれば、視野閉となる。そして、図示の偏光板１３２の前方に液晶板を配置すれば、ＬＣＤの表示光は９０°または２７０°旋光されて視野開状態になる。この状態で液晶板１３１に電圧を印加すればねじれていた液晶が直線状に緊張されて液晶板１３１によって旋光されずにそのままの状態で透過するので編光板１３２によって遮光され視野は閉となる。図１２に図示するディスプレイ１２１の表示に同期して図１３に図示の液晶板１３１に電圧を印加することによって左右の視野を分離し、立体視する。なお、上述の説明において、図１３に図示の液晶板１３１に電圧を印加した場合に視野閉状態になるが、偏光板１３２の方向を図１２に図示のディスプレイ（ＬＣＤ）１２１の表面の偏光板と同一方向に配設すれば、液晶板１３１に電圧を印加した場合に視野開状態になる。
なお、ディスプレイに有機ＥＬ等の非偏光のものを使用する場合、図１３の液晶板１３１の前面に更にもう一枚の偏光板を追加したいわゆるシャッタメガネを使用すれば同等に作動する。また、商用周波数で点灯する放電灯をシャッタメガネで見る場合、フリッカを生ずるが図１２のファインダ１２０においては、外光は遮断され視野分離用メガネ１３０を通して視る光線はディスプレイの光線のみであるので視野分離用メガネ１３０がシャッタメガネであってもフリッカの発生はない。
なお、本明細書２７頁１４行目から２８頁２８行目の説明は、立体撮像装置のファインダとしているが、請求項１６の立体映像表示装置一実施例であり、通常の立体映像表示装置として使用できる。また、図１２に図示の立体映像表示装置１２０のケーシング１２３は図示以外のものでもよい。例えば、ベローズ、や、従来のカメラに見られるような折りたたみピントフード等でもよい（図示せず）
据え置き型の立体映像表示装置の場合、ディスプレイサイズはある程度大きい方が望ましい。それは、一般的にディスプレイサイズは大きいほど高精細化が容易だからである。大画面を見る場合、視野分離用メガネを鑑賞者各自が使用すれば多人数が同時に鑑賞できるという利点もあるが、公衆的環境で他人が使用したメガネを再び使用するという衛生上の問題を懸念すれば、ディスプレイにメガネを取り付けて覗き込む方式も捨てがたい利点はある。このような場合でも、ある程度ディプレイは大きいものが望ましい。そして、ディスプレイを置く位置、即ち鑑賞距離は明視の距離以遠であることが望ましい。明視の距離以遠であれば、図１３に図示する視度補正レンズ１３３は不要で、観賞者自身各々通常使用している視度補正メガネを使用するかまたはメガネを外して視るか通常のものを見る場合と同様の状況に応じて使い分ければよい。（請求項１７）
電子的立体映像撮像及び表示装置と、二画面を並置したステレオ写真とは従来、別々の道を歩んできた経緯がある。しかし、昨今、電子式映像（画像）機器の進展により両者を統一的に扱おうとする要求があるが未だ実現できないのが現状である。本願請求項１８記載の発明はこれらの要請に応えて電子的立体映像表示装置（たとえば立体テレビジョン）に映る一コマ（左右用一対の画面）から二画面並置式のステレオフォトプリントを作製したり、またディジタルステレオカメラで撮影した標準立体映像データから二画面並置式のステレオスライドを自在に作製可能にするものである。
図１によれば、図示の左右並置表示範囲に左右夫々の画像を置いて視れば（明視の距離に対して著しく視距離が短くなるため視度補正レンズを必要とする）図示の大型テレビの位置で左右の視野が合致し、恰も図示の表示位置に大型テレビが実在するかの如くに見える。図３は図１の詳細図で図３に図示の基準ディスプレイＤ０に表示するべく標準立体映像データを左右並置する左右夫々の画面（図示のＤ２（Ｌ）およびＤ２（Ｒ））に表示する場合、表示画面は当然小さくなるが表示画面サイズの大小は従来のモノラル映像においても一般的なことであるが、問題は左右の画面間隔をどのようにして決定するべきかが考慮されていなかった。
図３によれば、基準ディメンション表示画面のディスプレイＤ０の設置距離をＬ０とし、左右の画像を並置するステレオプリント（スライド）Ｄ２の位置（視距離）をＬ２とし、人の目幅をＢとすればステレオプリント（スライド）の左右の画面の間隔（図示のＤＰ２）は、ＤＰ２＝Ｂ（１−Ｌ２／Ｌ０）で決定される。
【実施例２】
【００１０】
本発明は立体テレビジョン放送を現実的にするものであるが、それのみならずインターネット上に立体映像を載せることができ、通信販売等の商品の立体映像を呈示したり、また、立体映像によって、その商品の取り扱い説明をすれば、現実の商品を展示するよりもより効果的である。何故ならば現実の商品は売れないものまで展示しなければならず、スペース効率や、また、多数の商品を展示しても実際に売れる商品は極限られている場合が多く、売れ残り陳腐化のリスクが発生するからである。立体映像による展示よれば、実際に店頭に展示する商品の数量を大幅に削減できる。
その他、販売用として自動車や家具の販売にも立体映像を利用するのが効果的である。これは、録画した映像をセールスマンが持参して見せるのも勿論のこと、店頭販売に於いても極めて効果的である。それは、自動車や家具などは、広大な展示スペースが必要するため、多数の商品を展示できないためである。また、高額な商品を多数展示用に用意するのは経済的に不可能であり、更には、現実の商品では実際の使用場面を呈示不可能と言う側面もある。これは衣料品等販売にても同様で、ファッションショウなどを立体映像で呈示できる。
また、上記物品販売例は、大きな商品であっても移動展示可能であるが、アパートの部屋とか、住宅関連の展示に於いて、実際の商品を移動展示することは不可能である。このような場合非常に効果的である。
以上は販売関連の応用例であるが、その他、観光案内として使用しても非常に効果的である。
更に、立体映像ならではの応用例を挙げれば、教育訓練システムである。各種機械器具や航空機の構造や取り扱い説明は、実写や立体アニメーションを使用した解説によれば、実機による説明よりも解り易い。
また、最も効果的な応用例の一つは医学教育分野である。例えば、外科手術の教育実習において最初の段階は、術者の傍らで見学することである。ところが現実的には手術台の周囲に多数の見学者を配置することは不可能で、また、傍らで見ていても実際に局部がよく見えるわけでもない。このような場合、ステレオカメラで撮影した（動画で撮影録画し必要な部分はコマ送りし、スローモーションで繰り返し視る）映像を解説者が説明し、医学生は各々の机上のパソコンのディスプレイで立体視するか、または、大型ＴＶによっても見ることができる。従来の投影型立体映写システムは、暗い環境でなくては鮮明な画像を得ることができず照明を落としたり、窓の光を遮光したりする必要があり教育現場において不適当である。本発明の立体テレビジョンシステムによれば、明るい環境の下でも鮮鋭な立体映像を見ることができる。
また、医療において、遠隔地から通信回線によって立体映像により専門医の支援を仰ぐことが可能となり、遠隔医療にも貢献できる。
なお、医学的応用例として立体内視カメラと接続すれば体腔内を立体視できる。このような場合、本願の立体テレビジョンシステムの特徴は、テレビジョン（ディスプレイ）によって立体視をしつつ、そのままの状態（立体視のためのメガネを外さずに）で、周囲の環境に視線を移すことができることである。また、液晶ディスプレイによれば照明を落とさずに見えることである。
また、立体視が特別に必要とされるのは原子力の分野である。放射能から作業者や周囲の環境を防御するために遠隔操作や監視用のモニタに応用が期待される。
尚、本発明は本発明の精神を逸脱しない限り、様々の改変をすることができ、そして、本発明が該改変されたものに及ぶことは当然である。
【産業上の利用可能性】
【００１１】
本発明は、表示装置の機種が異なった場合であっても同一映像データを利用することによって、テレビ放送や通信回線を利用した画像の送受信等の分野において映（影）像の立体化に利用される。
【図１】
2010082365.tif 000004
【図２】
2010082365.tif 000005
【図３】
2010082365.tif 000006
【図４】
2010082365.tif 000007
【図５】
2010082365.tif 000008
【図６】
2010082365.tif 000009
【図７】
2010082365.tif 000010
【図８】
2010082365.tif 000011
【図９】
2010082365.tif 000012
【図１０】
2010082365.tif 000013
【図１１】
2010082365.tif 000014
【図１２】
2010082365.tif 000015
【図１３】
2010082365.tif 000016
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
標準立体映像データから左右二画面を一体に並置して作製するステレオフォトプリント又はステレオスライドを備えた立体映像撮像表示システムであって、
人の左右の目幅をＢとして、人の目から基準ディメンション表示画面Ｄ0までの距離をＬ0とし、人の目から前記ステレオプリント又はステレオスライドまでの鑑賞距離をＬ2とし、前記ステレオプリント又はステレオスライドの左右の画面の間隔をＤP2とすれば、
ＤP2＝Ｂ（１−Ｌ2/Ｌ0）
の数式で決定される間隔となるように、前記ステレオフォトプリント又はステレオスライドを配置することを特徴とする立体映像撮像表示システム。
【手続補正２】
【補正対象書類名】明細書
【補正対象項目名】全文
【補正方法】変更
【補正の内容】
【発明の詳細な説明】
【技術分野】
【０００１】
本発明は、左右二つのレンズによって撮影した映像を左右夫々の眼で視る二眼立体視方式の立体映像(動画及び静止画)の撮像-表示に関するものであり、表示画面サイズが異なっても、また、表示装置の機種が異なった場合であっても同一映像データを利用することによって、テレビ放送や通信回線を利用した画像の送受信等の分野において映(影)像の立体化を推進するものである。
【背景技術】
【０００２】
従来、二眼立体視方式の電子立体映像撮像表示システムが提案及び展示、販売されている。また、一部では立体テレビ放送が既に開始されたようである。
【０００３】
これ等従来の電子立体映像撮像-表示システムは機種毎に異なるシステムを混在使用するためには表示側において画像をシフトしたりして調節する必要が生じる。しかし、これら従来の方法による調整方法は不完全なものであり汎用的実施は困難である(例えば特許文献１参照)。
【先行技術文献】
【特許文献】
【０００４】
【特許文献１】特開８-２７５２０７号公報。
【発明の開示】
【発明が解決しようとする課題】
【０００５】
従来、電子的立体映像撮像及び表示装置と、二画面を並置したステレオ写真とは、別々の道を歩んできた経緯がある。しかし、昨今、電子式映像(画像)機器の進展により両者を統一的に扱おうとする要求があるが、未だ実現できないのが現状である。
【０００６】
そこで、前記の要請に応えて、電子的立体映像表示装置に映る一コマから二画面並置式のステレオフォトプリント、或いは、ディジタルステレオカメラで撮影した標準立体映像データから二画面並置式のステレオスライドを容易に作製可能にするために解決すべき技術的課題が生じてくるのであり、本発明は、この課題を解決することを目的とする。
【課題を解決するための手段】
【０００７】
本発明は上記目的を達成するために提案されたものであり、請求項１記載の発明は、標準立体映像データから左右二画面を一体に並置して作製するステレオフォトプリント又はステレオスライドを備えた立体映像撮像表示システムであって、人の左右の目幅をＢとして、人の目から基準ディメンション表示画面Ｄ0までの距離をＬ0とし、人の目から前記ステレオプリント又はステレオスライドまでの鑑賞距離をＬ2とし、前記ステレオプリント又はステレオスライドの左右の画面の間隔をＤP2とすれば、ＤP2＝Ｂ（１−Ｌ2/Ｌ0）の数式で決定される間隔ＤP2となるように、前記ステレオフォトプリント又はステレオスライドを配置することを特徴とする立体映像撮像表示システムを提供する。
【０００８】
この構成によれば、標準立体映像データから左右二画面を一体に並置して作製するステレオフォトプリント又はステレオスライドの左右の画面の間隔ＤP2が、ＤP2＝Ｂ（１−Ｌ2/Ｌ0）の数式で決定される間隔ＤP2となるように、ステレオフォトプリント又はステレオスライドを配置することにより、ステレオフォトプリント又はステレオスライドの左右の画面間隔が最適状態に設定される。
【発明の効果】
【０００９】
請求項１記載の発明は、立体写真の左右用の画像が一枚のシート上に並置記録可能となり、フォーマット(画面サイズ)が異なる場合であっても、最適な左右の画面間隔のステレオフォトプリントまたはステレオスライドを容易に作製することができる。
【図面の簡単な説明】
【００１０】
【図１】本発明の立体視の概念図。
【図２】図１の基準ディメンション表示画面(図示の大型立体ＴＶ)と標準立体映像データを送出するステレオカメラとの関係図。
【図３】図１の詳細説明図
【図４】図２(ｂ)のステレオカメラに広角撮影レンズを取り付けた場合の説明図。
【図５】図２(ｂ)のステレオカメラに長焦点撮影レンズを取り付けた場合の説明図。
【図６】左右二つのプロジェクションユニットを並設するステレオプロジェクタの説明図。
【図７】シングルプロジェクションユニットによるステレオプロジェクタの説明図。
【図８】シングルプロジェクションユニットによる直線偏光時分割表示のリアプロジェクション型立体テレビの説明図。
【図９】シングルプロジェクションユニットによる円偏光時分割表示のリアプロジェクション型立体テレビの説明図。
【図１０】立体モニタ上で立体像を観察し、同時に実景を視ることができる立体テレビカメラの説明図。
【図１１】立体モニタに表示する視準パターンの説明図。
【図１２】立体映像表示装置の斜視図。
【図１３】図１２の立体映像表示装置の視野分離用メガネ及び視度補正用メガネの断面図。
【発明を実施するための最良の形態】
【００１１】
本発明に係る立体映像撮像表示システムは、撮影レンズと撮像素子とで構成される撮像ユニットを左右平行に設置した一対で構成するステレオカメラの視野に仮想の視野フレームを設定(参照窓と定義する)し、その参照窓は左右夫々の撮影レンズによって縮小投影されて左右夫々の撮像素子上に結像する。
【００１２】
左右の撮像素子上に結像した参照窓の像(窓内)の画像データを読み出して、立体映像データ（標準立体映像データと定義する）を送出し、表示側において、その標準立体映像データを電子ディスプレイによって参照窓と等価の表示画面(左右の画面位置が完全に一致し、参照窓を等寸大に再現表示する画面の位置及びサイズを基準ディメンション表示画面と定義する)上に、左右直交する偏光又は左右反対方向の円偏光で同時に、又は同一方向の直線偏光により時分割で交互に表示し、その偏光方式に対応した視野分離用メガネによって左右用の映像を分離視するものであって、立体視の状態を忠実に再現する。
【００１３】
また、ステレオカメラの撮像素子の大きさ、及び立体表示装置の表示範囲及び画面サイズが異なる場合であっても立体映像データを共用可能にし、あらゆる立体映像の距離感及び寸法を共通に認識するためには、撮影時に参照窓を設定する。
【００１４】
この参照窓を視野フレーム(左右の画像フレーム)として撮影し、表示に必要な基準立体映像データとして送出する。そして、表示側において標準立体映像データを撮影側の参照窓と等価の基準ディメンションの画面に表示することによって、忠実な立体感を再現する。
【００１５】
例えば、図２において参照窓Ｗrefの幅を……ＷW
撮像素子に投影される参照窓内の像Ｉrefの幅を…ＷS
基準ディメンションの表示画面幅を……ＷD
とすれば、撮影倍率ｒは、ｒ＝ＷS/ＷW
表示倍率Ｒは、Ｒ＝ＷD/ＷS
として、ｒ×Ｒ＝１とすることである。上記数式によれば、撮像素子の幅ＷSの大きさに拘らず、ステレオカメラの送出画像データを標準立体映像データ化することは容易であると理解される。
【００１６】
本発明においては、人の左右の目幅をＢ、人の目から基準ディメンション表示画面Ｄ0までの距離をＬ0、人の目から前記ステレオプリント又はステレオスライドまでの鑑賞距離をＬ2としたとき、ステレオフォトプリント又はステレオスライドの左右の画面間隔ＤP2がＤP2＝Ｂ（１−Ｌ2/Ｌ0）の数式で決定される間隔となるように、ステレオフォトプリント又はステレオスライドを配置することにより、上記左右の画面間隔が最適状態に設定される（図３参照）。
【００１７】
本発明によると、立体写真の左右用の画像を一枚のシート上に並置記録可能とし、フォーマット(画面サイズ)が異なる場合であっても、最適な画面間隔のステレオフォトプリントまたはステレオスライドを容易に作製できる。
【実施例１】
【００１８】
本発明の好適な実施例を説明するが、本発明の理解を深めるために、本発明に関連する技術的事項についても図面を参照しながら同時に説明するものとする。図１は、立体視の概念図である。図示の大型立体ＴＶを(ディスプレイ幅１８００ｍｍ)基準ディメンション表示画面のテレビとすれば、各々のサイズの表示画面と、その配置は図示の関係になる。
【００１９】
図３は、図１の寸法及び配置関係をより詳細に表したものであるが、図３は実際の寸法比率に対し、観察者の位置に近付くに従って大きくなる寸法比率で表している。これは、作図上の混雑を回避するためのものである。
【００２０】
図３に於いて観察者の眼から、図示の左右並置表示範囲とオーバーラップ表示範囲との境界線までの距離ＬXは、ＬX＝Ｌ0／（１＋ＷP0/Ｂ）の関係となり、
Ｌ0＝２５００ｍｍ、ＷP0＝１８００ｍｍとすれば
眼幅寸法がＢ＝５８ｍｍのとき、
ＬX＝２５００/（１+１８００/５８）＝７８．０４ｍｍ
眼幅寸法がＢ=７２ｍｍのとき、
ＬX＝２５００/（１+１８００/７２）＝９６．１５ｍｍとなる。
【００２１】
左右並置表示範囲では左右の視野を仕切るための隔壁が必要で、実際の鑑賞距離は７５ｍｍ位が略限度である。また、７５ｍｍは明視の距離に比べて非常に近くなるために視度調節用のルーペが必要で、ルーペは視距離よりも僅かに大きい焦点距離のものが程よいため、この場合使用するルーペの焦点距離は約８０ｍｍが適当である。
【００２２】
また、眼幅寸法(ステレオベース)Ｂは観察者個々において多少の差があるが、鑑賞距離が大きい場合には(オーバーラップ表示範囲)無限遠像の相応点の左右の間隔と眼幅寸法Ｂとの多少の差は無視しても良い。
【００２３】
そして、左右並置表示範囲において、眼幅寸法Ｂとの差の余裕は少ないが、視度調節レンズの間隔を調節することによってその差は緩和される。
【００２４】
左右の画面間隔、即ちピクチャーディスタンスは、図３に図示の左右の眼幅間隔Ｂと基準ディメンションのディスプレイＤ0までの距離Ｌ0とで次の関係となる。任意の距離ＬNに配置されたディスプレイＤNのピクチャーディスタンス  ＤPNは、ＤPN＝Ｂ（１-ＬN/Ｌ0）の値となる。
【００２５】
左右夫々の画面幅ＷP0は鑑賞者の眼からの距離に比例するが、左右夫々の眼に入る光線がディスプレイＤ0を挟む図示の視角αが同一のため、図３に図示の各々の見かけ上の画面幅は、ＷP0＝ＷP1＝ＷP2の関係になり同じ大きさに見える。
【００２６】
上述のように、基準ディメンション表示画面のテレビ（図１に図示の大型立体テレビ）に標準立体映像データを図１に図示の関係配置に表示することによって、左右用の画像を重ねて表示するオーバーラップ表示範囲から、左右単独の表示面を有する左右並置表示範囲までの全ての表示範囲において、共通のデータを使用することができる。この場合、図示の各々のディスプレイには標準立体映像データを左右夫々規定された条件に配置(位置及び幅)表示するのみでよい。
【００２７】
図２は、図１に図示の関係配置の立体画像データを取得する手段のステレオカメラの解説図である。図２(a)は図１の立体視の状態と全く同一の状態図で、図２(b)は立体画像データの取得手段をステレオカメラとする場合の関係図である。
【００２８】
今、図２(a)に図示の相等参照窓のディスプレイＥrefを図１の基準ディメンション表示画面のテレビ（図１に図示の大型立体テレビ）のディスプレイとし、図２(b）のステレオカメラに参照窓Ｗrefを設定し、ステレオカメラの左右の撮影レンズの間隔を眼幅寸法Ｂとすれば、図２(a)に図示の相等参照窓のディスプレイＥref から観察者の左右夫々の眼ＥL及びＥRまでと、図２(b)の幅ＷWの参照窓Ｗrefから左右夫々の撮影レンズＬL，ＬRまでは共役関係が成立する。
【００２９】
よって、左右夫々の視野角α内に配置される撮像素子上の画像データは、人が実際に図１の基準ディメンション表示画面のテレビ（図示の大型立体テレビ）を観察する場合と等しくなる。また、視野角α内に配置される撮像素子のサイズ(幅)は、撮像素子を配置する光軸方向の位置で決定される。
【００３０】
図２(b)において撮像素子の幅ＷSは、ＷS＝ＷW×ｆ/Ｌで計算される。また、左右の撮像素子の間隔(倒立像状態のピクチャーディスタンス)、即ち図示のＤSはＤS＝Ｂ(１+ｆ/Ｌ)で計算され、左右の撮影レンズの間隔＝人の眼幅Ｂよりも大きくなる。
【００３１】
撮像素子上に投影される像は倒立状態であり、正立させるために左右夫々の位置で１８０°回転すれば左右の画面間隔、即ちピクチャーディスタンス(表示側＝正立像状態)は人の眼幅Ｂよりも小さくなる。また、図２(ｂ)に図示の参照窓Ｗrefと、左右夫々の撮影レンズの主点を通り、参照窓Ｗrefの窓ＷWを挟む線で構成される二つの三角形(一部が重なり合う二つの三角形)と、左右夫々の撮影レンズの主点を通り、左右夫々の撮像素子Ｓの両端を挟む線と撮像素子自身の面で構成される夫々二つの三角形とは、左右夫々の撮影レンズの主点を点対称として相似形になっている。
【００３２】
また、左右のユニットは図示の中心線Oを対称線として左右対称であるため、図の紙面の中心線０を折り畳み線として折りたためば、左右の光軸Φ(Ｌ)とΦ(Ｒ)とが一致して左右同士が重なり合う。従って、図２(ｂ)のステレオカメラによって撮影した立体映像を図１の基準ディメンション表示画面のテレビ(図示の大型立体テレビ)の同一画面位置に時分割で交互に、又は偏光等で同時に重ねて映し、視野分離用メガネによって左右の眼夫々で左右用夫々の画面を見れば、無限遠像Ｉ∞の相応点は自ずと人の眼幅に表示される。よって、最適状態の立体映像を再現できる。
【００３３】
なお、基準ディメンションの同一位置に映すためには特別な手立ては必要とせず、図２(ｂ)に図示の撮像素子Ｓ上の像を図２(a)のディスプレイＤ上において表示倍率を、ディスプレイＤの画面幅ＷDと撮像素子の幅ＷSとの単純比のＷD/ＷSの倍率で表示すればよい。
【００３４】
また、図１に図示の各々のサイズの左右夫々の画面幅は、各々の表示装置の配置距離と基準ディメンション表示画面の大型立体ＴＶまでの距離との比で決定される（図３においてＬ1/Lo＝ＷP1/ＷPO）。従って、左右用夫々の表示画面幅は単純比であるので算出は容易である。
【００３５】
そして、図１に図示のとおり、立体映像は全ての範囲において無限遠の相応点を人の眼幅間隔で表示するべきであるから、無限遠＝眼幅＝左右の撮影レンズの光軸間距離であり、ステレオカメラの左右の撮影レンズに入射する無限遠の相応点からの光線は互いに平行であるため、撮像素子上に投影される無限遠像の相応点は光軸間距離に等しくなる。
【００３６】
従って、如何なるディスプレイサイズであっても、左右の表示画面間において無限遠の相応点の間隔＝人の眼幅に設定するには、左右の夫々の撮像素子上における左右夫々の撮影レンズの光軸中心対応位置を、表示画面上で左右の間隔が人の眼幅間隔と等しくなる位置に設定するのみでよい。
【００３７】
つまり、如何なる画面サイズの立体表示装置であっても、ステレオカメラの左右夫々の光軸を基準にして、再生画面の左右間において撮像ユニットの左右の光軸間隔相応間隔を人の眼幅に等しい寸法に表示することである。
【００３８】
図４は図２に図示の状態のステレオカメラの撮影レンズを広角レンズに交換した場合の状態図で、同一幅の被写体を広角に撮影するためには対物距離は小さくなり、また、同一サイズの撮像素子に結像させるためには撮影レンズの焦点距離は短くなる。図４に図示するように、短焦点距離の撮影レンズに交換した場合、立体視において左右の視野が一致する距離も短くなる。
【００３９】
もし現実の光景を裸眼で直視する場合であれば、図４に図示の破線で表示する位置の視野フレームＷref´内に無限遠（写真撮影的の無限遠）を含む場合には、立体視において、近景の物体と遠景の物体とを同時に視ることは不可能である（人が実際の光景を見る場合その時々瞬時に狭い視野を視て脳内処理しているようで、実際には見ることができるが視神経に疲労を来す）。
【００４０】
しかし、この状態(短い焦点距離の撮影影レンズで撮影し、左右の視野が短い撮影距離に於いて合致している状態)のステレオカメラで撮影した立体画像データを、図１に表記の基準ディメンション表示画面の立体テレビによって見た場合には、立体視の状態は良好になる。
【００４１】
図４に図示の破線で表示する参照窓Ｗref´を設定した場合、窓が実在するとして、その窓から実景を直視したとすれば、近景と遠景との視差が大きいため立体視に於いて左右の視野を融合視することが不可能になるが、この立体映像データを図１に表記の設定状態の各々の表示装置で見れば、図４の破線で表示の参照窓Ｗref´は図示の実線で表示の参照窓Ｗrefの位置まで遠のいて見えることになるので、普通に立体視ができる。従って、広角撮影レンズの使用は狭い場所での撮影において被写体に近づいて撮影できるので有利になる。
【００４２】
図５は、図４の場合とは逆に、焦点距離の長いレンズの使用例である。撮影レンズの焦点距離が長い場合、左右の撮影視野は、標準的な鑑賞距離よりも遠くの位置で一致する（図示の破線位置）。しかし、この場合も、図１に図示の表示装置によって鑑賞すれば、実際には破線で表す遠くに位置する筈の参照窓Ｗref″は、実線で表す視野フレームＷrefの位置まで近付いて見える。
【００４３】
上記の説明によれば、ズームレンズの使用も実施可能なことは当然であり、撮影レンズの焦点距離がいずれに変化しても、前記の式で計算する基準ディメンション表示画面に合わせた撮像素子の幅及び間隔でよい（撮像素子の幅は実際には大きめのものを使用し読み出し範囲を設定しても良い）。
【００４４】
そして、ステレオカメラの撮影レンズの焦点距離を変化させても鑑賞側の立体テレビは、例えば図１に図示の各々の条件に一定状態に設定しておくのみでよい。これは、無限遠の相応点から左右の撮影レンズに入射する光線は互いに平行になり、同時に撮影レンズの光軸間距離を人の眼幅に設定しているためである。そのために、左右の撮像素子上に投影される無限遠の相応点の間隔は、人の眼幅と等しくなるからである。
【００４５】
同じステレオカメラに対して撮影レンズの焦点距離を変えた場合でも、左右一対の撮像素子の幅及び間隔は一定であるので、撮影レンズの焦点距離が変化した場合、左右の視野が一致する撮影距離が変化する。立体映像に於いて、通常どのような場合であっても、左右の視野が一致する距離以近の物体が撮影視野に入る撮影状態は好ましく無い。
【００４６】
ステレオカメラに於いて、例えファインダを立体視するものであっても、左右の視野の一致する距離以近に物体が撮影視野に入っているか、又は、いないのかを視認することは極めて困難であるが、図１１に図示の視準パターンをファインダの左右夫々の画面に重ねて表示することによって視認性が向上する。
【００４７】
図６に図示のステレオプロジェクタ６０は、人の眼幅間隔に設定した左右一対の投影レンズ６１Ｌ、及び６１Ｒを備えている。更に、幅ＷDのディスプレイ６２Ｌ及び６２Ｒを左右の投影レンズ６１の間隔よりもやや大きい間隔ＤDに設置することによって、左右用の投影画面を基準ディメンション表示画面と等価のスクリーンＳ0上で合致させている。よって、任意距離のスクリーン上に合焦させるのみで、投影画像は図１に表示の状態と同一条件に表示され、適切な視距離から観察すれば良好な立体感を得ることができる。
【００４８】
このディスプレイ６２Ｌ及び６２Ｒの位置は、図示の投射角θの位置であれば、ディスプレイ６２の幅ＷDのサイズは限定されず投影レンズのスクリーンＳ0〜Ｓ3まで、即ち、全投影距離においてレンズの焦点距離ｆ及び焦点調節量Δｆの和のｆ＋Δｆで決定され
る。従って、図６に図示の投射角θを図２(ｂ)に図示の写角αと同一角度に設定すれば、図２(ｂ）に図示の撮像素子Ｓの幅ＷSと図６に図示のディスプレイ６２の幅ＷDとでは同一幅に設定する必要はない。
【００４９】
しかし、図示において、実際にはプロジェクタの設置位置(距離)と鑑賞距離が等しくなりプロジェクタ自体が邪魔になる。これはプロジェクタの設置距離（スクリーンS0〜S3）をｎ（ｎ＞１）倍にすることによって解決できる。従って、上記投射角θと図２(ｂ)に図示の写角αとの関係はθ＝αとはならず、θ＜αの関係になる。
【００５０】
図７は、二つのプロジェクションユニットを並置した図６のステレオプロジェクタをシングルユニットに改変した場合の説明図である。破線で図示の左右のディスプレイ７３Ｌ及び７３Ｒ上に表示された左右用の映像は、破線で図示の左右夫々の投影レンズ７２Ｌ及び７２Ｒによってスクリーン７１上に左右の幅方向を合致させて結像する。
【００５１】
左右の投影レンズの光軸間距離は人の眼幅と等しい寸法の６５ｍｍ離間して設定しているにも拘らず、スクリーン７１上で左右の投影画面が合致するのは、左右のディスプレイ７３Ｌ及び７３Ｒの間隔を光軸間距離よりも大きく設定しているからである。
【００５２】
図７に破線で図示の三角形ａ,Ｏ(Ｒ),ｂと、三角形ｆ，Ｏ(Ｒ）,ｅとは、点Ｏ(Ｒ）を対称点として相似形であり、同様に破線で図示の三角形ａ,Ｏ(Ｌ）,ｂと三画形ｄ,Ｏ(Ｌ）,ｃ及び、実線で図示の三角形ａ,Ｏ(Ｃ）,ｂと三角形ｈ,Ｏ(Ｃ）,ｇとは夫々、点Ｏ(Ｌ）及び点Ｏ(Ｃ）を対称点として相似形となる。従って、夫々の線分ｃ−ｄ，ｇ−ｅ，ｅ−ｆは等しくなる。よって、破線で図示の左右の投影レンズ７２(Ｌ），７２(Ｒ）を、その中間位置に実線で表す投影レンズ７２(Ｃ）の位置に移動したとすれば、破線で図示のディスプレイ７３(Ｌ)及び７３(Ｒ)は、中間位置に実線で表すディスプレイ７３(Ｃ)に重なり合うことになる。
【００５３】
また、ディスプレイ７３(Ｌ)及び７３(Ｒ）上に表示すべき左右用の映像を、投影レンズ７２(Ｃ)及びディスプレイ７３(Ｃ)によるシングルプロジェクションユニットを用い左右用の映像を時分割で交互に表示すれば、左右二つのプロジェクションユニットを並置したプロジェクタと同等になる。
【００５４】
そして、左右の投影レンズの光軸間距離に等しい寸法にスクリーン７１上に結像する無限遠像の相応点に対するディスプレイ７３(Ｌ)上の像ＸL及びディスプレイ７３(Ｒ)上の像ＸRは、ディスプレイ７３(Ｃ)上では→で示す位置関係に交互に表示される。左右位置が反転しているのは、プロジェクタの像は原画を表示するディスプレイには倒立像を表示し投影レンズで反転するからである。
【００５５】
なお、無限遠像の相応点を図示のよう左右対称位置、即ち立体視の状態で画面中央位置に見えるように描いているが、実際の無限遠像は画面中央とは限らず、これは説明の便宜上の作図である。しかし、無限遠の物体の同一点から発射される光線は左右の眼に平行に入射する。従って、このような作図法で表しても一般的に理解されると思われる。
【００５６】
図８は、前記図７に説明のシングルプロジェクションユニットによる立体映像表示装置の応用例である。立体映像表示装置８０(立体テレビジョン)は、ＤＭＤ８１に表示する映像を投影レンズ８２によって透過型スクリーン８４上(裏面)に投影するリアプロジェクション方式のものであって、投影レンズ８２の前面には偏光板８３が設置されている。
【００５７】
この状態でＤＭＤ８１によって左右用の映像を時分割で交互に表示すれば、透過型スクリーン８４には、左右用の映像が同一状態の偏光で、且つ、時系列が交互に表示される。この立体映像を前述した立体映像鑑賞用メガネで鑑賞すれば、左右の視野が分離して立体視ができる。
【００５８】
また、表示素子をＤＭＤの代わりにＬＣＯＳを使用する場合、ＬＣＯＳから反射する光線は偏光であるので、図８に図示の偏光板８３は不要になる。
【００５９】
図９は、立体映像表示装置９０（立体テレビジョン）で、ＤＭＤリアプロジェクションユニット９１の投影レンズ９２の前面に偏光板９３を設置し、その前面に液晶セル９４を配置し、更に、その前面にλ/４板９５を配置して、標準立体映像データによる立体映像の左右用の映像をＤＭＤ９１上に交互に表示するとともに、ＤＭＤ９１の表示画像に同期させて液晶セルを駆動し、λ/４板９５の高速軸に対して偏光方向が４５°及び−４５°の関係に入射するように制御することによって、透過スクリーン９６上に立体映像を右周り及び左周りの円偏光で交互に表示する。この場合、鑑賞に円偏光メガネを用いることによって、メガネを傾けてもクロストークを生じない。
【００６０】
また、上記の装置９０において、ＤＭＤに代えてＬＣＯＳを使用すれば、偏光板９３は不要となる。
【００６１】
テレビ放送用ステレオカメラにおいて、ステレオスコピックファインダに映る撮影視野を観察すると同時に実景をも直視できることが望ましい。このようなステレオスコピックファインダ(モニタ)を実現するものとして、例えば、図1に図示の１２インチ幅の液晶ディスプレイを立体テレビカメラに取り付ける。１２インチサイズはカメラのモニタとしては大きい部類に属するが、図示のように３５０ｍｍの位置から見ることができる。
【００６２】
この場合、左右の像は交互に時分割で表示する。同時に、ディスプレイに取り付けられた同期信号発信装置から同期用の赤外線が発信される。（図示省略）そして、左右の視野を分離する立体映像鑑賞用メガネの左右には、左右同一の偏光板が取り付けられている。更に、その前面には液晶板が取り付けられている。また、メガネには傾斜角センサが取り付けられている。前記ＬＣＤから交互に放出される左右の光線は同一、且つ一定方向の偏光である。
【００６３】
前記メガネの偏光板をＬＣＤから放出される偏光を遮断する方向の直交方向とすれば、メガネの左右の視野は閉ざされて暗くなる。その視野の状態は前面に取り付けた液晶板によってＬＣＤからの入射光が９０°又は２７０°偏光方向が旋光されて、左右両方の視野とも開状態になり明るく見えるように変化する。
【００６４】
ＬＣＤ上の表示画像に同期して発信される赤外線によって、メガネ前面に取り付けた液晶板に交互に電圧を印加すれば、電圧によって液晶が緊張状態になりＬＣＤから放出される偏光は、そのままの偏光方向に維持されメガネの液晶板によって遮光され視野は暗くなる。同時に、赤外線によってＬＣＤに同期してメガネの液晶板に電圧を交互に印加すれば、左右の視野は交互に開閉されＬＣＤを視る左右の視野は分離され立体視が可能となる。
【００６５】
また、メガネを傾けた場合、ＬＣＤとメガネとの偏光方向の相対方向関係が崩れクロストークが生ずるが、傾斜角センサによって印加電圧を制御し補正することによってクロストークを防止する。なお、電子的撮像装置に於いてファインダは必ずしもカメラと一体化する必要はない。例えば、左右一対の撮影レンズと、左右一対の撮像素子とで構成するステレオカメラとノート型パソコンとをＵＳＢケーブル等で繋げばＰＣそのものがファインダと化す。
【００６６】
図１０は、上述の立体テレビカメラの一実施例で、図示の二点鎖線１００は、前記説明の参照窓である。この参照窓は実質的にカメラの視野であり、ステレオカメラによって撮影する実景に仮想的に設定した視野フレームである。この仮想視野フレームは、例えば家の窓等から外の景色を見ている状態と同等である。
【００６７】
しかし、実際の光景にはフレームは存在しないため、当然、カメラマン１０４は立体テレビカメラ１０２越しに立体映像鑑賞用メガネ１０３を通して撮影視野(図示の参照窓１００)のみならず撮影視野外の光景をも直視している。そして、モニタ１０１に視線を落とせば、モニタ１０１上（内）には参照窓１００と同一サイズで同一距離感(実際の表示寸法は異なるが、そのように見える)の立体映像を視ることができる。
【００６８】
図１０のモニタ用ディスプレイ１０１の幅と適正な視距離との関係は、図３においてＬ1＝３５０ｍｍとすれば、左右用夫々の表示画面幅は図示のＷP1で、ＷP1＝ＷP0×Ｌ1/Ｌ0、ＷP0＝１８００ｍｍ、Ｌ0＝２５００ｍｍとすれば、左右夫々の表示画面幅ＷＰ1は、ＷP1＝１８００×３５０/２５００＝２５２ｍｍになる。左右の画面間隔、即ち、ピクチャーディスタンスは図３のＤP1で、前記のＤPN＝Ｂ（１-ＬN/Ｌ0）、ＤP1＝Ｂ（１-Ｌ1/Ｌ0）で、眼幅をＢ＝６５ｍｍとすれば、ＤP1＝６５（１-３５０/２５００）＝５５.９ｍｍになる。
【００６９】
左右の画像表示画面の中心間距離、即ちピクチャーディスタンスは、前記説明の間隔で表示し、無限遠像の相応点の間隔を人の眼幅に等しい間隔の６５ｍｍに表示する。
【００７０】
図３に於いてＤP1(Ｒ)が右用の画面であり、ＤP1(Ｌ)が左用の画面である。このときのディスプレイＤ1のサイズ（全幅）は、ＷP1とＤP1の総計で、
ＷP1＋ＤP1＝２５２+５５.９＝３０７.９ｍｍとなる。この寸法は、１２インチ、１２
×２５.４＝３０４.８ｍｍよりも僅かに大きいが、これは視距離自体１０ｍｍ刻みの数値に処理して表記したためであり、また実際には視距離は多少遠くから視ても問題は無い。
【００７１】
また、逆にディスプレイサイズから視距離Ｌ1を計算すれば、
図３において、Ｌ1＝Ｌ0（ＷP1＋ＤP1−Ｂ）/（ＷP0−Ｂ）
ＷP1＋ＤP1＝１２″＝３０４.８ｍｍ
Ｂ＝６５ｍｍ
ＷP0＝１８００ｍｍ
Ｌ0＝２５００ｍｍ
とすれば、視距離Ｌ1は
Ｌ1＝２５００（３０４.８−６５）/（１８００−６５）＝３４５.５３ｍｍ
となる。
【００７２】
更に、立体テレビカメラのモニタの立体視の視認性を容易にするために、表示する左右の画像夫々に、縦線を主体とする視準パターンをソフトウェアによって重ねて表示する。図１１は、図１０の立体テレビカメラ１０２のモニタ１０１の詳細図で、モニタ１０１（ディスプレイＤ1）上には、左右用の画像と夫々が重なる位置に視準パターンをソフトウェアによって表示する。勿論、視準パターンはファインダのみに表示し、ステレオカメラから送出する画像データは撮像画像データのみとする。
【００７３】
上記立体テレビカメラ１０２の液晶モニタ１０１を立体映像鑑賞用のメガネ１０３を通して立体視すれば、立体感の調整状態が視認できる。そして、この立体テレビカメラのモニタで視る立体映像は、この立体テレビカメラで撮影送信された立体放送を受信して立体テレビを観ている視聴者と、全く同一状態の立体感を感知できる。
【００７４】
更に、モノラルであっても、又は、ステレオであっても、動画を撮る場合、撮影と同時に事態の進行を察知することが大切である。よって、モニタと同時に実景を常に見ることができる、この構成のテレビカメラの作用効果は絶大である。
【００７５】
前記立体映像撮像装置は非常に効果的ではあるが、ファインダ（モニタ）部が大きく、手持ちでの撮影や携行性等に問題がある。また、ファインダ部の遮光が不完全なため明るい撮影環境においてファインダ像が見にくいという問題がある。
【００７６】
図１２は、ディスプレイに視野分離用メガネを固定した立体ファインダの斜視図で、立体ファインダ１２０のディスプレイ１２１と視野分離用メガネ１３０を保持するボード１２２とはケーシング１２３で固定されている。ディスプレイ１２１は例えばＬＣＤで、左右用の映像を図示の画面幅ＷD上のＰL部分に左用映像を、ＰR部分に右用映像を交互に時分割表示し、視野分離用メガネ１３０を同期させて左右の視野を分離して立体視する。
【００７７】
視野はケーシング１２３で覆われて外光が遮光されるので、屋外の明るい環境下でもディスプレイを鮮明に観察できる。また、ディスプレイに対し視野分離用メガネを固定しているので、観察者が頭を傾けた場合であってもクロストークの恐れはない。
【００７８】
ファインダ(ディスプレイ)のサイズは、図３において説明の如く、大きくてもまたは小さくても表示の仕方及び視距離によって基準ディメンション表示画面と同等に観ることができるが、携行性を考慮した場合ディスプレイサイズは小さいほうが望ましい。
【００７９】
ディスプレイサイズが小さい場合、ディスプレイを視る距離は、明視の距離よりも小さくなる。観察距離が明視の距離よりも小さい場合、正視（裸眼で明視の距離に焦点が合っている）の人であっても、図１３に図示の視度補正レンズ（プラスジオプター）が必要で、また、視度補正レンズ１３３を光軸方向に移動する(図示せず)ことによって、観察者の視度に合わせて調節できる。
【００８０】
図１３は前記図１２の立体映像表示装置１２０の視野分離用メガネ１３０の構成図で、その主体は、偏光板１３２と液晶板１３１とで構成されている。図１２の立体映像表示装置１２０のディスプレイ１２１がＬＣＤであれば表示光は偏光であり、表示光の振幅方向に対して図１３に図示の偏光板１３２を、前記偏光を遮光する状態の直交方向に配置(左右ともに)すれば、視野閉となる。
【００８１】
そして、図示の偏光板１３２の前方に液晶板を配置すれば、ＬＣＤの表示光は９０°または２７０°旋光されて視野開状態になる。この状態で液晶板１３１に電圧を印加すれば、ねじれていた液晶が直線状に緊張されて液晶板１３１によって旋光されずに、そのままの状態で透過するので偏光板１３２によって遮光され視野は閉となる。図１２に図示するディスプレイ１２１の表示に同期して図１３に図示の液晶板１３１に電圧を印加することによって左右の視野を分離し立体視する。
【００８２】
なお、上述の説明において、図１３に図示の液晶板１３１に電圧を印加した場合に視野閉状態になるが、偏光板１３２の方向を図１２に図示のディスプレイ（ＬＣＤ）１２１の表面の偏光板と同一方向に配設すれば、液晶板１３１に電圧を印加した場合に視野開状態になる。
【００８３】
なお、ディスプレイに有機ＥＬ等の非偏光のものを使用する場合、図１３の液晶板１３１の前面に更にもう一枚の偏光板を追加した、いわゆるシャッタメガネを使用すれば同等に作動する。また、商用周波数で点灯する放電灯をシャッタメガネで見る場合、フリッカを生ずるが、図１２のファインダ１２０において外光は遮断され、視野分離用メガネ１３０を通して視る光線は、ディスプレイの光線のみであるので、視野分離用メガネ１３０がシャッタメガネであってもフリッカの発生はない。
【００８４】
なお、上述の説明は、立体撮像装置のファインダとしているが、通常の立体映像表示装置として使用できる。また、図１２に図示の立体映像表示装置１２０のケーシング１２３は図示以外のものでもよい。例えば、ベローズ、や、従来のカメラに見られるような折りたたみピントフード等でもよい（図示せず）
【００８５】
据え置き型の立体映像表示装置の場合、ディスプレイサイズはある程度大きい方が望ましい。それは、一般的にディスプレイサイズは大きいほど高精細化が容易だからである。大画面を見る場合、視野分離用メガネを鑑賞者各自が使用すれば、多人数が同時に鑑賞できるという利点もあるが、公衆的環境で他人が使用したメガネを再び使用するという衛生上の問題を懸念すれば、ディスプレイにメガネを取り付けて覗き込む方式も捨てがたい利点はある。
【００８６】
このような場合でも、ある程度ディプレイは大きいものが望ましい。そして、ディスプレイを置く位置、即ち鑑賞距離は明視の距離以遠であることが望ましい。明視の距離以遠であれば、図１３に図示する視度補正レンズ１３３は不要で、観賞者自身各々通常使用している視度補正メガネを使用するか、またはメガネを外して視るか通常のものを見る場合と同様の状況に応じて使い分ければよい。
【００８７】
電子的立体映像撮像及び表示装置と、二画面を並置したステレオ写真とは従来、別々の道を歩んできた経緯がある。しかし、昨今、電子式映像(画像)機器の進展により、両者を統一的に扱おうとする要求があるが未だ実現できないのが現状である。
【００８８】
本願発明はこれらの要請に応えて電子的立体映像表示装置(たとえば立体テレビジョン)に映る一コマ(左右用一対の画面)から二画面並置式のステレオフォトプリントを作製したり、またディジタルステレオカメラで撮影した標準立体映像データから二画面並置式のステレオスライドを自在に作製可能にするものである。
【００８９】
図１によれば、図示の左右並置表示範囲に左右夫々の画像を置いて視れば（明視の距離に対して著しく視距離が短くなるため視度補正レンズを必要とする）、図示の大型立体テレビの位置で左右の視野が合致し、恰も図示の表示位置に大型立体テレビが実在するかの如くに見える。
【００９０】
図３は図１の詳細図で、図３に図示の基準ディスプレイＤ0に表示するべく、標準立体映像データを左右並置する左右夫々の画面（図示のＤ2(Ｌ)およびＤ2(Ｒ)）に表示する場合、表示画面は当然小さくなり、表示画面サイズの大小は従来のモノラル映像においても一般的なことであるが、問題は左右の画面間隔をどのようにして決定するべきかが考慮されていなかった。
【００９１】
図３によれば、基準ディメンション表示画面のディスプレイＤ0の設置距離をＬ0とし、左右の画像を並置するステレオプリント(またはステレオスライド)Ｄ2の位置（視距離）をＬ2とし、人の目幅をＢとすれば、ステレオプリント(またはステレオスライド)の左右の画面の間隔（図示のＤP2）は、ＤP2＝Ｂ（１−Ｌ2/Ｌ0）で決定される。
【００９２】
本発明は、立体写真の左右用の画像を一枚のシート上に並置記録可能にし、フォーマット(画面サイズ)が異なる場合であっても、最適な左右の画面間隔を有するステレオフォトプリントまたはステレオスライドが容易に作製される。
【００９３】
本発明は立体テレビジョン放送を現実的にするものであるが、それのみならずインターネット上に立体映像を載せることができ、通信販売等の商品の立体映像を呈示したり、また、立体映像によって、その商品の取り扱い説明をすれば、現実の商品を展示するよりもより効果的である。
【００９４】
何故ならば現実の商品は然程売れないものまで展示しなければならず、スペース効率や、また、多数の商品を展示しても実際に売れる商品は極限られている場合が多く、売れ残り陳腐化のリスクが発生するからである。立体映像による展示よれば、実際に店頭に展示する商品の数量を大幅に削減できる。
【００９５】
その他、販売用として自動車や家具の販売にも立体映像を利用するのが効果的である。これは、録画した映像をセールスマンが持参して見せるのも勿論のこと、店頭販売に於いても極めて効果的である。
【００９６】
それは、自動車や家具などは、広大な展示スペースが必要するため、多数の商品を展示できないためである。また、高額な商品を多数展示用に用意するのは経済的に不可能であり、更には、現実の商品では実際の使用場面を呈示不可能と言う側面もある。これは衣料品等販売にても同様で、ファッションショウなどを立体映像で呈示できる。
【００９７】
また、上記物品販売例は、大きな商品であっても移動展示可能であるが、アパートの部屋とか、住宅関連の展示に於いて、実際の商品を移動展示することは不可能である。このような場合非常に効果的である。
【００９８】
以上は販売関連の応用例であるが、その他、観光案内として使用しても非常に効果的である。
【００９９】
更に、立体映像ならではの応用例を挙げれば、教育訓練システムである。各種機械器具や航空機の構造や取り扱い説明は、実写や立体アニメーションを使用した解説によれば、実機による説明よりも解り易い。
【０１００】
また、最も効果的な応用例の一つは医学教育分野である。例えば、外科手術の教育実習において最初の段階は、術者の傍らで見学することである。ところが現実的には手術台の周囲に多数の見学者を配置することは不可能で、また、傍らで見ていても実際に局部がよく見えるわけでもない。
【０１０１】
このような場合、ステレオカメラで撮影した(動画で撮影録画し必要な部分はコマ送りし、スローモーションで繰り返し視る)映像を解説者が説明し、医学生は各々の机上のパソコンのディスプレイで立体視するか、または、大型ＴＶによっても見ることができる。
【０１０２】
従来の投影型立体映写システムは、暗い環境でなくては鮮明な画像を得ることができず照明を落としたり、窓の光を遮光したりする必要があり教育現場において不適当である。本発明の立体テレビジョンシステムによれば、明るい環境の下でも鮮鋭な立体映像を見ることができる。
【０１０３】
また、医療において、遠隔地から通信回線によって立体映像により専門医の支援を仰ぐことが可能となり、遠隔医療にも貢献できる。
【０１０４】
なお、医学的応用例として立体内視カメラと接続すれば体腔内を立体視できる。このような場合、本願の立体テレビジョンシステムの特徴は、テレビジョン(ディスプレイ)によって立体視をしつつ、そのままの状態（立体視のためのメガネを外さずに）で、周囲の環境に視線を移すことができることである。また、液晶ディスプレイによれば照明を落とさずに見えることである。
【０１０５】
また、立体視が特別に必要とされるのは原子力の分野である。放射能から作業者や周囲の環境を防御するために、遠隔操作や監視用のモニタに応用が期待される。
【０１０６】
尚、本発明は本発明の精神を逸脱しない限り、様々の改変をすることができ、そして、本発明が該改変されたものに及ぶことは当然である。
【産業上の利用可能性】
【０１０７】
本発明は、立体映像のデータを表示するステレオフォトプリントまたはステレオスライドを備えた立体映像撮像システムであれば、型式や使用目的を問わず、全て適用可能であり、表示装置の機種が異なった場合であっても、同一映像のデータを利用することによって、テレビ放送や通信回線を利用した画像の送受信等の分野において映（影）像の立体化に利用される。
【符号の説明】
【０１０８】
Ｂ       人の眼幅
Ｌ       基準ディメンション表示画面までの距離
ＥL      左眼
ＥR      右眼
Ｄ       ディスプレイ
Ｉ∞     無限遠像
ＷD      ディスプレイの幅
Ｅref    相等参照窓のディスプレイ(基準ディメンション表示画面)
Ｗref    参照窓
ＷW      参照窓幅
Ｓ       撮像素子
Ｉref    撮像素子上の参照窓の像
α       視野角
Ｆ       焦点距離
ＷS      撮像素子の幅
ＤS      左右の撮像素子の間隔
Ｏ∞     無限遠物体
Φ       ステレオカメラの光軸
Ｄ0      基準ディメンションのディスプレイ
Ｄ1      オーバーラップ表示範囲で基準ディメンションよりも小さいディスプレイ
Ｄ2      左右並置表示範囲のディスプレイまたはステレオスライド
ＷP0     ディスプレイＤ0の幅
ＷP1     ディスプレイＤ1（部分）の幅
ＷP2     左右夫々のディスプレイの幅
ＤP1     ディスプレイＤ1上に表示される左右の画面間隔(ピクチャーディスタンス)
ＤP2     左右ディスプレイの設置間隔又はステレオスライドのピクチャーディスタンス
Ｌ0      基準ディメンションの設定距離
Ｌ1      ディスプレイＤ1までの距離
Ｌ2      左右並置表示範囲のディスプレイＤ2又はステレオスライドの設定距離
ＬX      左右並置表示範囲とオーバーラップ表示範囲との境界点（原理上の）
Ｗref´  広角レンズを取り付けた場合の左右の撮影視野の合致点。
Ｗref"   長焦点レンズを取り付けた場合の左右の撮影視野の合致点
ＰL      基準ディメンションよりも大きい画面サイズの左画面の表示範囲
ＲR      基準ディメンションよりも大きい画面サイズの右画面の表示範囲
Ｓ0      基準ディメンション表示画面位置のスクリーン
Ｓ1      近距離に位置する(１メートル)スクリーン
Ｓ2      左右用映像を並置する距離に位置するスクリーン
Ｓ3      基準ディメンション表示画面位置よりも遠くに位置するスクリーン
６０     プロジェクタ
６１     投影レンズ
６２     ディスプレイ
ＤD      ディスプレイの間隔
ＷD      ディスプレイの幅
θ       投映角
７１     基準ディメンション表示画面相等スクリーン
７２     投影レンズ
７３     ディスプレイ
０       投影レンズの作用点
Ｘ       無限遠像の相応点を表示する位置(光軸延長点)
８１     ＤＭＤ又はＬＣＯＳ表示(投影)ユニット
８２     投影レンズ
８３     偏光フィルタ
８４     透過型スクリーン
８５     立体映像鑑賞用メガネ
９１     ＤＭＤ又はＬＣＯＳ表示(投影)ユニット
９２     投影レンズ
９３     偏光フィルタ
９４     液晶セル
９５     λ/４板
９６     透過型スクリーン
９７     円偏光メガネ
１００    参照窓（仮想視野フレーム）
１０１    ステレオＴＶカメラの立体モニタ
１０２    ステレオＴＶカメラ
１０３    立体映像鑑賞用メガネ
１０４    カメラマン
ＣＰ     視準パターン
１２１    ディスプレイ
１２２    ボード
１２３    ハウジング
１３０    視野分離用メガネ
１３１    液晶板
１３２    偏光板
１３３    視度補正メガネ
【手続補正３】
【補正対象書類名】図面
【補正対象項目名】図２
【補正方法】変更
【補正の内容】
【図２】
2010082365.tif 000017
【手続補正４】
【補正対象書類名】図面
【補正対象項目名】図４
【補正方法】変更
【補正の内容】
【図４】
2010082365.tif 000018
【手続補正５】
【補正対象書類名】図面
【補正対象項目名】図５
【補正方法】変更
【補正の内容】
【図５】
2010082365.tif 000019
【国際調査報告】
2010082365.tif 000020
2010082365.tif 000021
2010082365.tif 000022
2010082365.tif 000023
2010082365.tif 000024
2010082365.tif 000025
2010082365.tif 000026
2010082365.tif 000027